(57)【要約】  本発明は、クイックリリース式マウントシステムに関する。クイックリリース式マウントシステムは、ラッチ面をそれぞれ含む両側の側面を有し且つ差し込み部を有する基部部材によって受容されるよう構成されたマウントプレートを備える。マウントシステムは、マウントプレートのラッチ面と係合する少なくとも１つの可動ラッチ部材をさらに有し、これにより、差し込み部からマウントプレートが分離することを防止する。また、マウントシステムは、基部に垂直な方向に、少なくとも１つのラッチ部材に対してマウントプレートを押し付けて差し込み部内でマウントプレートを締め付けるロック機構を含む。【選択図】図２
2020517879.tif 000002
【特許請求の範囲】
【請求項１】
クイックリリース式マウントシステムであって、
ラッチ面をそれぞれ含む両側の側面を有するマウントプレートと、
前記マウントプレートを受容する差し込み部、および前記マウントプレートのラッチ面と係合して前記差し込み部から前記マウントプレートが分離することを防止する少なくとも１つの可動ラッチ部材を有する基部と、
を備え、
前記マウントシステムは、前記差し込み部内で前記マウントプレートを締め付けるロック機構をさらに備え、前記ロック機構は、前記基部に垂直な方向に、前記少なくとも１つのラッチ部材に対して前記マウントプレートを押し付けるように動作する、
クイックリリース式マウントシステム。
【請求項２】
前記マウントプレートを受容する前記差し込み部を有する前記基部は、前記マウントプレートの両側の側面の各ラッチ面と係合する少なくとも１つの可動ラッチ部材を含む、
請求項１に記載のクイックリリース式マウントシステム。
【請求項３】
前記ラッチ面と係合する複数の可動ラッチ部材が設けられる、
請求項１または２に記載のクイックリリース式マウントシステム。
【請求項４】
前記可動ラッチ部材は、前記基部の側壁の溝内にそれぞれ配置され、前記可動ラッチ部材の動きは、単一の並進自由度における経路に沿った移動のみに制限される、
請求項１〜３のいずれか１項に記載のクイックリリース式マウントシステム。
【請求項５】
前記経路は、前記差し込み部の底面に対して斜めに配向される、
請求項４に記載のクイックリリース式マウントシステム。
【請求項６】
前記経路は、
（ａ）約３０度〜約６０度の範囲、または
（ｂ）約４５度
の角度で、前記底面に対して斜めに配向される、
請求項５に記載のクイックリリース式マウントシステム。
【請求項７】
前記ラッチ部材は、
（ａ）ボールベアリング、または
（ｂ）実質的に円筒形のローラ、または
（ｃ）ボールベアリングと円筒形のローラとの組み合わせ
である、
請求項１〜６のいずれか１項に記載のクイックリリース式マウントシステム。
【請求項８】
前記ラッチ部材は、自由に回転することができる、
請求項７に記載のクイックリリース式マウントシステム。
【請求項９】
前記ラッチ部材は、前記ラッチ部材が少なくとも部分的に前記差し込み部内に突出するように、ラッチ位置まで付勢される、
請求項１〜８のいずれか１項に記載のクイックリリース式マウントシステム。
【請求項１０】
前記マウントプレートの両側の側面は、前記マウントプレートの基部が前記マウントプレートの上部よりも広くなるように、斜めのラッチ面を含む、
請求項１〜９のいずれか１項に記載のクイックリリース式マウントシステム。
【請求項１１】
前記マウントプレートのラッチ面から、前記差し込み部の一方の側に沿う少なくともすべての前記ラッチ部材を係合解除するために、リリース機構が設けられる、
請求項１〜１０のいずれか１項に記載のクイックリリース式マウントシステム。
【請求項１２】
前記リリース機構は、前記ラッチ部材を直線状の経路で並進させる、
請求項１１に記載のクイックリリース式マウントシステム。
【請求項１３】
前記ロック機構は、
・  前記差し込み部の底面に配置されたロックプレートであって、その下側にらせん状の経路を画定する複数のロックプレートボール経路を有するロックプレートと、
・  前記ロックプレートの下方に配置されたロックリングであって、その上側にらせん状の経路を画定して前記ロックプレートボール経路を補完する複数のロックリングボール経路を有するロックリングと、
・  対応する前記ロックプレートおよび前記ロックリングボール経路内にそれぞれ配置された複数のボールベアリングと、
を備え、
前記ロックプレートに対する前記ロックリングの回転によって、前記ボールベアリングが前記ロックリングと前記ロックプレートとを分離させ、これにより、前記マウントプレートが前記ロックプレートと前記ラッチ部材との間で締め付けられる、
請求項１〜１２のいずれか１項に記載のクイックリリース式マウントシステム。
【請求項１４】
互いに対応する前記ボールベアリングと前記ボール経路とのセットが３つ〜６つある、
請求項１３に記載のクイックリリース式マウントシステム。
【請求項１５】
前記ロック機構は、互いに対して並進するように構成された補完的なくさび状部材を備え、これにより、前記マウントプレートが前記ロックプレートと前記ラッチ部材との間で締め付けられる、
請求項１〜１２のいずれか１項に記載のクイックリリース式マウントシステム。
【請求項１６】
前記ロック機構は、少なくとも１つのねじ付き部材を備え、その回転によって、前記マウントプレートが前記ロックプレートと前記ラッチ部材との間で締め付けられる、
請求項１〜１２のいずれか１項に記載のクイックリリース式マウントシステム。
【請求項１７】
基部上に支持されたマウントプレートを受容し且つ前記マウントプレートのラッチ面と係合する少なくとも１つの可動ラッチ部材によって解放されることが防止されるクイックリリース式マウントシステムであって、
前記マウントは、前記基部から離れるように前記カメラプレートを付勢して、前記カメラプレートが前記少なくとも１つのラッチ部材に対して締め付けられるように、ロックモードでさらに動作する、
クイックリリース式マウントシステム。
【請求項１８】
差し込み部を画定する基部上に支持されたマウントプレートを受容するクイックリリース式マウントシステムであって、
前記クイックリリース式マウントシステムは、少なくとも１つのラッチ部材を含み、ラッチ状態において、
（ａ）前記少なくとも１つのラッチ部材は、前記マウントプレートのラッチ面と係合し、
（ｂ）前記少なくとも１つのラッチ部材の動きは、単一の第１の方向に沿った並進のみに制限され、
ラッチ解除状態にあるときに、前記少なくとも１つのラッチ部材の動きは、前記第１の方向に沿った並進のみに制限されない、
クイックリリース式マウントシステム。
【請求項１９】
前記ラッチ面と係合する複数の可動ラッチ部材を有する、
請求項１８に記載のクイックリリース式マウントシステム。
【請求項２０】
前記ラッチ部材は、前記ラッチ解除状態にあるときに、少なくとも１つの構成要素が前記第１の方向に直交する状態で少なくとも１つの追加の方向に沿っておよび／または前記マウントプレートのラッチ面から離れるように、並進することができる、
請求項１８または１９に記載のクイックリリース式マウントシステム。
【請求項２１】
前記ラッチ部材は、前記ラッチ状態にあるときに、前記基部から前記マウントプレートが取り外されることを防止し、前記ラッチ解除状態にあるときに、前記基部から前記マウントプレートが取り外されることを許可する、
請求項１８〜２０のいずれか１項に記載のクイックリリース式マウントシステム。
【請求項２２】
前記ラッチ部材は、前記ラッチ状態になるように付勢される、
請求項１８〜２１のいずれか１項に記載のクイックリリース式マウントシステム。
【請求項２３】
前記可動ラッチ部材は、前記基部の側壁の溝内にそれぞれ配置され、前記可動ラッチ部材の動きは、前記可動ラッチ部材が前記ラッチ状態にあるときに、前記溝の側壁によって、単一の並進自由度における経路に沿った移動のみに制限される、
請求項１８〜２２のいずれか１項に記載のクイックリリース式マウントシステム。
【請求項２４】
前記経路は、前記マウントプレートの平面に対して斜めに配向される、
請求項２３に記載のクイックリリース式マウントシステム。
【請求項２５】
前記経路は、
（ａ）約３０度〜約６０度の範囲、または
（ｂ）約４５度
の角度で、前記平面に対して斜めに配向される、
請求項２４に記載のクイックリリース式マウントシステム。
【請求項２６】
前記ラッチ部材は、
（ａ）ボールベアリング、または
（ｂ）実質的に円筒形のローラ、または
（ｃ）ボールベアリングと円筒形のローラとの組み合わせ
である、
請求項１０〜２５のいずれか１項に記載のクイックリリース式マウントシステム。
【請求項２７】
前記ラッチ部材は、自由に回転することができる、
請求項２６に記載のクイックリリース式マウントシステム。
【請求項２８】
前記ラッチ部材は、前記ラッチ部材が少なくとも部分的に前記差し込み部内に突出するように、ラッチ位置まで付勢される、
請求項１８〜２７のいずれか１項に記載のクイックリリース式マウントシステム。
【請求項２９】
前記マウントプレートの両側の側面は、前記マウントプレートの基部がより高い部分よりも広くなるように、斜めのラッチ面を含む、
請求項１８〜２８のいずれか１項に記載のクイックリリース式マウントシステム。
【請求項３０】
前記ラッチ部材の動きは、可動ラッチアクチュエータがラッチ位置にあるときに、前記可動ラッチアクチュエータによって、前記単一の第１の方向に沿った並進のみに制限される、
請求項１８〜２９のいずれか１項に記載のクイックリリース式マウントシステム。
【請求項３１】
前記ラッチ部材の動きは、前記ラッチアクチュエータがラッチ解除位置にあるときに、前記単一の第１の方向に沿った並進のみに制限されなくなる、
請求項３０に記載のクイックリリース式マウントシステム。
【請求項３２】
前記ラッチアクチュエータは、前記ラッチ位置まで付勢される、
請求項３１に記載のクイックリリース式マウントシステム。
【請求項３３】
前記マウントプレートは、概ね円形であり、前記マウントプレートの周囲の少なくとも一部の周りで突出するリップ部を画定し、前記リップ部は、前記ラッチ面を画定する、
請求項３０〜３２のいずれか１項に記載のクイックリリース式マウントシステム。
【請求項３４】
前記マウントプレートは、前記ラッチ状態にあるときに、前記基部に対して自由に回転することができる、
請求項３３に記載のクイックリリース式マウントシステム。
【請求項３５】
前記ラッチアクチュエータは、前記ラッチ部材を取り囲む回転可能なリングであり、
前記ラッチアクチュエータは、内縁の周りに間隔をあけて配置された一連のラッチカム面およびラッチ解除キャビティを画定し、
（ａ）前記ラッチカム面は、前記ラッチアクチュエータがラッチ位置にあるときに、それぞれの前記ラッチ部材と係合して、前記ラッチ部材の動きを前記単一の第１の方向に沿った並進のみに制限し、
（ｂ）前記ラッチ解除キャビティは、前記ラッチアクチュエータがラッチ解除位置にあるときに、それぞれの前記ラッチ部材と隣接するように配置され、これにより、前記ラッチ部材の動きは、前記単一の第１の方向に沿った並進のみに制限されなくなる、
請求項３２〜３４のいずれか１項に記載のクイックリリース式マウントシステム。
【請求項３６】
前記ラッチ部材は、前記ラッチアクチュエータがラッチ解除位置にあるときに、半径方向外側に移動して、前記マウントプレートのラッチ面から係合解除される、
請求項３５に記載のクイックリリース式マウントシステム。
【請求項３７】
前記ラッチアクチュエータは、それぞれの前記ラッチ部材の後方に配置された並進部材であり、
前記ラッチアクチュエータは、ラッチカム面およびラッチ解除キャビティを画定し、
（ａ）前記ラッチカム面は、前記ラッチアクチュエータがラッチ位置にあるときに、それぞれの前記ラッチ部材と係合して、前記ラッチ部材の動きを前記単一の第１の方向に沿った並進のみに制限し、
（ｂ）前記ラッチ解除キャビティは、前記ラッチアクチュエータがラッチ解除位置にあるときに、それぞれの前記ラッチ部材と隣接するように配置され、これにより、前記ラッチ部材の動きは、前記単一の第１の方向に沿った並進のみに制限されなくなる、
請求項３０〜３２のいずれか１項に記載のクイックリリース式マウントシステム。
【請求項３８】
前記マウントは、前記基部から離れるように前記カメラプレートを付勢して、前記カメラプレートが前記少なくとも１つのラッチ部材に対して締め付けられるように、ロックモードでさらに動作する、
請求項１８〜３７のいずれか１項に記載のクイックリリース式マウントシステム。
【請求項３９】
前記ロックモードは、
・  前記差し込み部の底面に配置されたロックプレートであって、その下側にらせん状の経路を画定する複数のロックプレートボール経路を有するロックプレートと、
・  前記ロックプレートの下方に配置されたロックリングであって、その上側にらせん状の経路を画定して前記ロックプレートボール経路を補完する複数のロックリングボール経路を有するロックリングと、
・  対応する前記ロックプレートおよび前記ロックリングボール経路内にそれぞれ配置された複数のボールベアリングと、
を備えたロックシステムによって作動され、
前記ロックプレートに対する前記ロックリングの回転によって、前記ボールベアリングが前記ロックリングと前記ロックプレートとを分離させ、これにより、前記マウントプレートが前記ロックプレートと前記ラッチ部材との間で締め付けられる、
請求項３８に記載のクイックリリース式マウントシステム。
【請求項４０】
互いに対応する前記ボールベアリングと前記ボール経路とのセットが３つ〜６つある、
請求項３９に記載のクイックリリース式マウントシステム。
【請求項４１】
クイックリリース式マウントシステムであって、
少なくとも１つのラッチ面を含むマウントプレートと、
前記マウントプレートを受容する差し込み部、および前記マウントプレートのラッチ面と係合して前記差し込み部から前記マウントプレートが分離することを防止する少なくとも１つの可動ラッチ部材を有する基部と、
を備え、
前記マウントシステムは、前記差し込み部内で前記マウントプレートを締め付けるロック機構をさらに備え、前記ロック機構は、前記基部に垂直な方向に、前記少なくとも１つのラッチ部材に対して前記マウントプレートを押し付けるように動作する、
クイックリリース式マウントシステム。
【発明の詳細な説明】
【技術分野】
【０００１】
本発明は、カメラマウントに関する。より詳細には、本発明は、クイックリリース式カメラマウントに関するが、これに限定されるものではない。
【背景技術】
【０００２】
本発明は、特にカメラプレートをロックおよび解放するためのクイックリリース式カメラマウントに関する。ただし、その他の用途にも容易に適用できるものである。
【０００３】
カメラやその他の光学機器は、スタンド、三脚またはその他の物体に取り付けられる場合がある。一般的に、カメラをカメラプレートに取り付けて、そのカメラプレートをカメラマウントに取り付けて、そのカメラマウントを支持対象の所望の物体に取り付けることができる。
【０００４】
カメラやカメラアクセサリは高価な場合があり、ユーザは、カメラを固定できる安定したマウントを望む場合が多い。
【０００５】
いくつかのカメラマウントは、ラッチモード、ロックモードおよび解放モードにおいて動作する。これは、カメラマウントの使いやすさを向上させる場合がある。
【０００６】
ラッチモードにおいて、カメラマウントがカメラプレートの移動範囲を制限する。
【０００７】
ロックモードにおいて、ロック機構がカメラマウント内でカメラプレートを強固にロックおよび固定して、その移動を防止する。
【０００８】
解放モードにおいて、ボタンなどのリリース機構がカメラプレートを解放する。これにより、カメラマウントからカメラプレートを取り外すことができる。
【０００９】
しかしながら、一部のカメラマウントには、特に直感的ではないものおよび／または使用が難しいものがある。また、その他のカメラマウントにおいて、特に大型の光学機器を使用する場合、安定性に限界がある。
【００１０】
さらに、カメラまたはその他の光学機器をカメラマウントに容易に固定できることが望ましい。より安定したカメラマウントが望ましい場合もある。
【００１１】
本明細書において、他の特許明細書およびその他の文献を含む外部情報源を参照している箇所は、本発明の特徴を説明するための背景を提供する目的で記載される。これらの情報源の参照は、特に明示した場合を除き、その情報源が本発明の先行技術であること或いはその情報源が当該技術分野における一般知識の一部を構成することを認めるものであると、いかなる管轄区域でも解釈されるべきではない。
【００１２】
本明細書の目的において、方法のステップが順番に記載されている場合、ステップが必ずしもその順番で時系列に並べられるという意味ではない。ただし、これは順番に関する他の論理的な解釈がない場合を除く。
【発明の概要】
【発明が解決しようとする課題】
【００１３】
本発明の目的は、上述した欠点を少なくとも１つ克服する或いは少なくとも部分的に改善する、または少なくとも有用な選択肢を一般に提供するクイックリリース式マウントを提供することである。
【課題を解決するための手段】
【００１４】
本発明の一態様において、本発明は、広義には、
・  ラッチ面をそれぞれ含む両側の側面を有するマウントプレートと、
・  マウントプレートを受容する差し込み部、およびマウントプレートのラッチ面と係合して差し込み部からマウントプレートが分離することを防止する少なくとも１つの可動ラッチ部材を有する基部と
を含むクイックリリース式マウントシステムを備える。マウントシステムは、差し込み部内でマウントプレートを締め付けるロック機構をさらに備える。ロック機構は、基部に垂直な方向に、少なくとも１つのラッチ部材に対してマウントプレートを押し付けるように動作する。
【００１５】
別の態様によれば、マウントプレートを受容する差し込み部を有する基部は、マウントプレートの両側の側面の各ラッチ面と係合する少なくとも１つの可動ラッチ部材を含む。
【００１６】
別の態様によれば、ラッチ面と係合する複数の可動ラッチ部材が設けられる。
【００１７】
別の態様によれば、可動ラッチ部材は、基部の側壁の溝内にそれぞれ配置され、可動ラッチ部材の動きは、単一の並進自由度における経路に沿った移動のみに制限される。
【００１８】
別の態様によれば、経路は、差し込み部の底面（ｆｌｏｏｒ）に対して斜めに配向される。
【００１９】
別の態様によれば、経路は、
（ａ）約３０度〜約６０度の範囲、または
（ｂ）約４５度
の角度で、底面に対して斜めに配向される。
【００２０】
別の態様によれば、ラッチ部材は、
（ａ）ボールベアリング、または
（ｂ）実質的に円筒形のローラ、または
（ｃ）ボールベアリングと円筒形のローラとの組み合わせ
である。
【００２１】
別の態様によれば、ラッチ部材は、自由に回転することができる。
【００２２】
別の態様によれば、ラッチ部材は、ラッチ部材が少なくとも部分的に差し込み部内に突出するように、ラッチ位置まで付勢される。
【００２３】
別の態様によれば、マウントプレートの両側の側面は、マウントプレートの基部がマウントプレートの上部よりも広くなるように、斜めのラッチ面を含む。
【００２４】
別の態様によれば、マウントプレートのラッチ面から、差し込み部の一方の側に沿う少なくともすべてのラッチ部材を係合解除するために、リリース機構が設けられる。
【００２５】
別の態様によれば、リリース機構は、ラッチ部材を直線状の経路で並進させる。
【００２６】
別の態様によれば、ロック機構は、
・  差し込み部の底面に配置されたロックプレートであって、その下側にらせん状の経路を画定する複数のロックプレートボール経路を有するロックプレートと、
・  ロックプレートの下方に配置されたロックリングであって、その上側にらせん状の経路を画定してロックプレートボール経路を補完する複数のロックリングボール経路を有するロックリングと、
・  対応するロックプレートおよびロックリングボール経路内にそれぞれ配置された複数のボールベアリングと
を備える。ロックプレートに対するロックリングの回転によって、ボールベアリングがロックリングとロックプレートとを分離させ、これにより、マウントプレートがロックプレートとラッチ部材との間で締め付けられる。
【００２７】
別の態様によれば、互いに対応するボールベアリングとボール経路とのセットが３つ〜６つある。
【００２８】
別の態様によれば、ロック機構は、互いに対して並進するように構成された補完的なくさび状部材を備える。これにより、マウントプレートがロックプレートとラッチ部材との間で締め付けられる。
【００２９】
別の態様によれば、ロック機構は、少なくとも１つのねじ付き部材を備え、その回転によって、マウントプレートがロックプレートとラッチ部材との間で締め付けられる。
【００３０】
別の態様によれば、本発明は、広義には、基部上に支持されたマウントプレートを受容し且つマウントプレートのラッチ面と係合する少なくとも１つの可動ラッチ部材によって解放されることが防止されるクイックリリース式マウントシステムを備える。マウントは、基部から離れるようにカメラプレートを付勢して、カメラプレートが少なくとも１つのラッチ部材に対して締め付けられるように、ロックモードでさらに動作する。
【００３１】
別の態様によれば、本発明は、広義には、差し込み部を画定する基部上に支持されたマウントプレートを受容するクイックリリース式マウントシステムを備える。クイックリリース式マウントシステムは、少なくとも１つのラッチ部材を含み、ラッチ状態において、
（ａ）少なくとも１つのラッチ部材は、マウントプレートのラッチ面と係合し、
（ｂ）少なくとも１つのラッチ部材の動きは、単一の第１の方向に沿った並進のみに制限される。
また、ラッチ解除状態にあるときに、少なくとも１つのラッチ部材の動きは、第１の方向に沿った並進のみに制限されない。
【００３２】
別の態様によれば、マウントシステムは、ラッチ面と係合する複数の可動ラッチ部材を有する。
【００３３】
別の態様によれば、ラッチ部材は、ラッチ解除状態にあるときに、少なくとも１つの構成要素が第１の方向に直交する状態で少なくとも１つの追加の方向に沿っておよび／またはマウントプレートのラッチ面から離れるように、並進することができる。
【００３４】
別の態様によれば、ラッチ部材は、ラッチ状態にあるときに、基部からマウントプレートが取り外されることを防止し、ラッチ解除状態にあるときに、基部からマウントプレートが取り外ざれることを許可する。
【００３５】
別の態様によれば、ラッチ部材は、ラッチ状態になるように付勢される。
【００３６】
別の態様によれば、可動ラッチ部材は、基部の側壁の溝内にそれぞれ配置され、可動ラッチ部材の動きは、可動ラッチ部材がラッチ状態にあるときに、溝の側壁によって、単一の並進自由度における経路に沿った移動のみに制限される。
【００３７】
別の態様によれば、経路は、マウントプレートの平面に対して斜めに配向される。
【００３８】
別の態様によれば、経路は、
（ａ）約３０度〜約６０度の範囲、または
（ｂ）約４５度
の角度で、マウントプレートの平面に対して斜めに配向される。
【００３９】
別の態様によれば、本発明は、広義には、上記の記載によるクイックリリース式マウントシステムを備える。ここで、ラッチ部材は、
（ａ）ボールベアリング、または
（ｂ）実質的に円筒形のローラ、または
（ｃ）ボールベアリングと円筒形のローラとの組み合わせ
である。
【００４０】
別の態様によれば、ラッチ部材は、自由に回転することができる。
【００４１】
別の態様によれば、ラッチ部材は、ラッチ部材が少なくとも部分的に差し込み部内に突出するように、ラッチ位置まで付勢される。
【００４２】
別の態様によれば、マウントプレートの両側の側面は、マウントプレートの基部がより高い部分よりも広くなるように、斜めのラッチ面を含む。
【００４３】
別の態様によれば、ラッチ部材の動きは、可動ラッチアクチュエータがラッチ位置にあるときに、可動ラッチアクチュエータによって、単一の第１の方向に沿った並進のみに制限される。
【００４４】
別の態様によれば、ラッチ部材の動きは、ラッチアクチュエータがラッチ解除位置にあるときに、単一の第１の方向に沿った並進のみに制限されなくなる。
【００４５】
別の態様によれば、ラッチアクチュエータは、ラッチ位置まで付勢される。
【００４６】
別の態様によれば、マウントプレートは、概ね円形であり、その周囲の少なくとも一部の周りで突出するリップ部を画定する。リップ部は、ラッチ面を画定する。
【００４７】
別の態様によれば、マウントプレートは、ラッチ状態にあるときに、基部に対して自由に回転することができる。
【００４８】
別の態様によれば、ラッチアクチュエータは、ラッチ部材を取り囲む回転可能なリングである。また、ラッチアクチュエータは、内縁の周りに間隔をあけて配置された一連のラッチカム面およびラッチ解除キャビティを画定し、
（ａ）ラッチカム面は、ラッチアクチュエータがラッチ位置にあるときに、それぞれのラッチ部材と係合して、ラッチ部材の動きを単一の第１の方向に沿った並進のみに制限し、
（ｂ）ラッチ解除キャビティは、ラッチアクチュエータがラッチ解除位置にあるときに、それぞれのラッチ部材と隣接するように配置され、これにより、ラッチ部材の動きは、単一の第１の方向に沿った並進のみに制限されなくなる。
【００４９】
別の態様によれば、ラッチ部材は、ラッチアクチュエータがラッチ解除位置にあるときに、半径方向外側に移動して、マウントプレートのラッチ面から係合解除され得る。
【００５０】
別の態様によれば、ラッチアクチュエータは、それぞれのラッチ部材の後方に配置された並進部材である。また、ラッチアクチュエータは、ラッチカム面およびラッチ解除キャビティを画定し、
（ｃ）ラッチカム面は、ラッチアクチュエータがラッチ位置にあるときに、それぞれのラッチ部材と係合して、ラッチ部材の動きを単一の第１の方向に沿った並進のみに制限し、
（ｄ）ラッチ解除キャビティは、ラッチアクチュエータがラッチ解除位置にあるときに、それぞれのラッチ部材と隣接するように配置され、これにより、ラッチ部材の動きは、単一の第１の方向に沿った並進のみに制限されなくなる。
【００５１】
別の態様によれば、マウントは、基部から離れるようにカメラプレートを付勢して、カメラプレートが少なくとも１つのラッチ部材に対して締め付けられるように、ロックモードでさらに動作する。
【００５２】
別の態様によれば、ロックモードは、
・  差し込み部の底面に配置されたロックプレートであって、その下側にらせん状の経路を画定する複数のロックプレートボール経路を有するロックプレートと、
・  ロックプレートの下方に配置されたロックリングであって、その上側にらせん状の経路を画定してロックプレートボール経路を補完する複数のロックリングボール経路を有するロックリングと、
・  対応するロックプレートおよびロックリングボール経路内にそれぞれ配置された複数のボールベアリングと
を備えたロックシステムによって作動される。ロックプレートに対するロックリングの回転によって、ボールベアリングがロックリングとロックプレートとを分離させ、これにより、マウントプレートがロックプレートとラッチ部材との間で締め付けられる。
【００５３】
別の態様によれば、互いに対応するボールベアリングとボール経路とのセットが３つ〜６つある。
【００５４】
別の態様によれば、本発明は、広義には、
・  少なくとも１つのラッチ面を含むマウントプレートと、
・  マウントプレートを受容する差し込み部、およびマウントプレートのラッチ面と係合して差し込み部からマウントプレートが分離することを防止する少なくとも１つの可動ラッチ部材を有する基部と
を含むクイックリリース式マウントシステムを備える。マウントシステムは、差し込み部内でマウントプレートを締め付けるロック機構をさらに備える。ロック機構は、基部に垂直な方向に、少なくとも１つのラッチ部材に対してマウントプレートを押し付けるように動作する。
【００５５】
別の態様によれば、本発明は、広義には、図１〜図１２のうちのいずれか１つまたは複数の図を参照して本明細書で説明するクイックリリース式マウントシステムを実質的に備える。
【００５６】
別の態様によれば、本発明は、広義には、図１３および図１４のいずれか一方または両方を参照して本明細書で説明するクイックリリース式マウントシステムを実質的に備える。
【００５７】
別の態様によれば、本発明は、広義には、図１５〜図２２のうちのいずれか１つまたは複数の図を参照して本明細書で説明するクイックリリース式マウントシステムを実質的に備える。
【００５８】
別の態様によれば、本発明は、広義には、図２３〜図２５のうちのいずれか１つまたは複数の図を参照して本明細書で説明するクイックリリース式マウントシステムを実質的に備える。
【００５９】
別の態様によれば、本発明は、広義には、図２６および図２７のうちのいずれか一方または両方を参照して本明細書で説明するクイックリリース式マウントシステムを実質的に備える。
【００６０】
本発明のその他の態様は、添付の図面を参照して例示する以下の説明から明らかになるであろう。
【００６１】
本明細書において使用される用語「および／または」は、「および」、「または」またはその両方を意味する。
【００６２】
本明細書において使用される名詞に続く「（複数を含む）」は、その名詞の複数形および／または単数形を意味する。
【００６３】
本明細書および特許請求の範囲において使用される用語「を備える」は、「から少なくとも部分的に構成される」を意味する。この用語を含む本明細書および特許請求の範囲の記載を解釈する際には、それぞれの記載においてその用語が付された特徴はすべて存在する必要があるが、その他の特徴も存在することができる。また、「備え」および「備えた」などの関連する用語も、同様に解釈される。
【図面の簡単な説明】
【００６４】
以下、図面を参照しながら例示的に本発明を説明する。
【図１】第１の構成によるクイックリリース式カメラマウントの斜視図である。
【図２】カメラプレートが部分的に係合している、図１のカメラマウントの斜視図である。
【図３】カメラプレートがマウント内で摺動している状態を示す、図１のカメラマウントの別の斜視図である。
【図４】図１のカメラマウントの変形例によるマウントの断面図である。
【図５】カメラプレートが係合している、図１のカメラマウントの模式的な断面図である。
【図６】ラッチ部材がラッチ解除状態にあり、カメラプレートが取り外された、図５のカメラマウントの模式的な断面図である。
【図７】図１のカメラマウントのラッチ機構の部分分解図である。
【図８】ロック機構の概念を示す模式図である。
【図９】ロック機構のさらなる概念を示す模式図である。
【図１０】ロック解除状態にある、図１のカメラマウントのロック機構の部分分解図である。
【図１１】ロック状態にある、図１０のカメラマウントのロック機構の部分分解図である。
【図１２ａ】ロック状態にある、図１１のロック機構の断面図である。
【図１２ｂ】ロック解除状態にある、図１０のロック機構の模式的な断面図である。
【図１３ａ】代替のロック機構の概念を示す模式図である。
【図１３ｂ】別の代替のロック機構の概念を示す模式図である。
【図１４】別の代替のロック機構の概念を示す模式図である。
【図１５ａ】ラッチ状態にある、リリース機構の模式図である。
【図１５ｂ】ラッチ解除状態にある、リリース機構の模式図である。
【図１５ｃ】カメラプレートが取り外された、リリース機構の模式図である。
【図１６ａ】代替のリリース機構の模式図である。
【図１６ｂ】代替のリリース機構の模式的な斜視図である。
【図１７ａ】ラッチ状態にある、別の代替のリリース機構の模式図である。
【図１７ｂ】ラッチ解除状態にある、別のリリース機構の模式図である。
【図１８ａ】ラッチ状態にある、別の代替のリリース機構の模式図である。
【図１８ｂ】ラッチ解除状態にある、別の代替のリリース機構の模式図である。
【図１８ｃ】カメラプレートが取り外された、別の代替のリリース機構の模式図である。
【図１９】別の代替のリリース機構の模式図である。
【図２０】別の代替のリリース機構の模式図である。
【図２１ａ】ラッチ状態にある、別の代替のロック機構の模式図である。
【図２１ｂ】ロック状態にある、別の代替のロック機構の模式図である。
【図２１ｃ】別の代替のロック機構の模式図である。
【図２２ａ】別の代替のロック機構の模式図である。
【図２２ｂ】別の代替のロック機構の模式図である。
【図２２ｃ】別の代替のロック機構の模式図である。
【図２２ｄ】別の代替のロック機構の模式図である。
【図２３】代替のクイックリリース式カメラマウントの部分透過図である。
【図２４】図２３のクイックリリース式カメラマウントの断面図である。
【図２５】図２３のクイックリリース式カメラマウントの部分断面図である。
【図２６】別の代替のクイックリリース式カメラマウントの部分透過図である。
【図２７】図２５のクイックリリース式カメラマウントの断面図である。
【発明を実施するための形態】
【００６５】
図１〜図２７に示す本発明の様々な実施形態における様々な態様によれば、特にカメラマウントとして以下に説明するクイックリリース式マウントが提供される。
【００６６】
図１〜図１２には、操作が容易であり、安全且つ信頼性を有し、製造が容易な実質的に長方形のクイックリリース式カメラマウント１が示されている。クイックリリース式カメラマウント１は、カメラプレート１００を受容するように構成される。カメラマウント１は、本体２と、基部３と、ロック制御部４と、溝（ｓｌｏｔ）５内で動作するラッチ部材６とを備える。
【００６７】
好ましくは、クイックリリース式カメラマウント１は、カメラなどの光学機器を、例えば下部マウント８０を介して、スタンド、カメラスライダー、または自転車のマウントなどの別の物体に取り付けるために使用される。
【００６８】
また、クイックリリース式カメラマウントは、特にクイックリリース式ロック機構が役立つその他の用途を含む、一般的に知られているその他の物体を取り付けるのに適している。例えば、安定したマウントの利点を受けることができるその他の光学機器、レーザ、ならびに技術的および／または科学的機器が多くある。
【００６９】
好ましくは、クイックリリース式カメラマウント１は、ラッチモード、ロックモードおよび解放モードにおいて動作することができる。
【００７０】
ラッチモードにおいて、クイックリリース式カメラマウント１は、カメラプレート１００が挿入されたときにカメラプレートを取り込む。好ましくは、ラッチモードにおいて、クイックリリース式カメラマウント１は、カメラプレート１００の縦方向の移動やカメラプレート１００が本体２から意図せずに解放されることを防止する。ラッチモードにおいて、カメラプレート１００は、クイックリリース式カメラマウント１内で制限された直線移動に沿って摺動することができる。これにより、ユーザは、カメラプレート１００の位置の微調整を行うことができる。好ましくは、カメラプレート１００は、単にプレート１００をマウント本体２内に押し込む片手操作によって、クイックリリース式カメラマウント１内に挿入され得る。
【００７１】
ロックモードにおいて、ロック機構は、クイックリリース式カメラマウント内でカメラプレート１００を締め付けて、カメラプレートの移動を防止する。これにより、プレートは、適所に実質的に強固に把持される。ロックモードにおいて、カメラプレート１００は安定して固定される。これにより、取り付けられた機器を動かない状態にして、「カメラのぶれ」を防止することができる。
【００７２】
解放モードにおいて、クイックリリース式カメラマウント１のリリース機構は、カメラプレート１００を解放する。代替の構成を参照して以下に説明するように、解放モードにおいて、クイックリリース式カメラマウント１から縦方向および／または任意選択で横方向にカメラプレート１００を取り外すことができる。
【００７３】
＜カメラプレート＞
【００７４】
好ましくは、図１に示すカメラプレート１００は、概ね長方形であり、上部１０１と、基部１０２と、開口部（ａｐｅｒｔｕｒｅ）１０３と、周縁部１０４と、ラッチ面１０５と、下端部１０７とを備える。カメラプレートの上部１０１は、実質的に平らであり、これにより、カメラプレート１００に対して機器を平らに配置することができる。
【００７５】
好ましくは、プレートの開口部１０３は、ボルトなどの固定手段が開口部を通過してカメラなどの機器（図示せず）を固定できるように構成される。この目的のために、カメラなどの機器には、一般的に標準のねじ付き凹部が設けられている。
【００７６】
カメラプレート１００は、少なくとも１つのラッチ面１０５を備えるが、両側の２つのラッチ面１０５を備えることが好ましい。ラッチ面１０５は、平面状であってよく、代替的には、（概ね凸状または概ね凹状に）湾曲していてもよい。
【００７７】
図２に最もよく示すように、カメラプレート１００を挿入するために、クイックリリース式カメラマウント１は、カメラプレート１００のラッチ面１０５と係合して、カメラプレートを取り込む。代替的に、カメラプレート１００を下向きに直接挿入して、カメラマウントの本体２内に押し込むこともできる。
【００７８】
カメラプレート１００と本体または基部ユニット２との間の接続は、テーパ状のほぞ（すなわちラッチ面１０５を有するカメラプレート１００）がほぞ穴（すなわちラッチ部材６を含む且つ対応する角度が付けられた側壁７を有する基部ユニット２）と係合する箇所において、蟻継ぎに類似する。
【００７９】
好ましくは、カメラプレート１００のラッチ面１０５は、蟻継ぎ式のプレート構成で示されるように、概ね斜めに配向される。
【００８０】
好ましくは、ラッチ面１０５は、カメラプレート１００の基部１０２に対して約３０度〜６０度の範囲の角度を有する。
【００８１】
最も好ましくは、ラッチ面１０５は、カメラプレート１００の基部１０２に対して約４５度の角度を有する。
【００８２】
任意選択で、カメラプレート１００は、プレート基部１０２上に、図４に示すような摺動停止溝１０６を有する。摺動停止溝１０６は、カメラプレート１００の長さの一部に沿って延在する。好ましくは、摺動停止溝１０６は、プレートの周縁部１０４に達することがないように、カメラプレート１００の長さに沿って延在する。
【００８３】
＜ラッチ機構＞
【００８４】
図１〜図６には、ラッチ機構を有するクイックリリース式カメラマウント１が示されている。
【００８５】
図２に示すように、カメラプレート１００は、クイックリリース式カメラマウント１内に下向きに挿入される。代替的に、（一部の構成において）クイックリリース式カメラマウント１内へ横方向にカメラプレート１００を摺動させることで、カメラプレート１００がクイックリリース式カメラマウント１内に挿入されてもよい。
【００８６】
カメラプレート１００がクイックリリース式カメラマウント１内に挿入されると、ラッチ部材（複数を含む）６が元の位置に跳ね返るときに、カメラマウントはカメラプレート１００を自動的に取り込んでラッチモードとする。ラッチモードからカメラプレート１００を解放するには、リリース機構が必要である。
【００８７】
図３に示すように、ラッチモードにおいて、クイックリリース式カメラマウント１は、基部２から分離しないよう制限されながら、クイックリリース式カメラマウントの内側の側壁７に平行な方向に移動することができる。ラッチモードにおいて、カメラプレート１００は、制限された横方向の動きで並進することができる。これにより、カメラプレート１００の微調整を行うことができる。カメラプレート１００が最終的な位置でしっかりと（すなわち基本的に強固に）ロックされる前に、対象物に向かう方向または対象物から離れる方向にカメラプレート１００を調整できることは有用である。
【００８８】
模式的な図５および図６には、溝５を有するクイックリリース式カメラマウント１が最も明確に示されている。溝５内には、（模式的に示す）ラッチ部材６と、対応する付勢手段１５とが含まれる。
【００８９】
ラッチ部材６は、円筒形のベアリングであり、好ましくは溝５内で（円筒形の軸を中心に）滑らかに回転できるよう構成される。この特徴によって、プレートが挿入されたときに、ラッチ部材６とカメラプレート１００との間で円滑な相互作用が提供され得る。ラッチ部材６は、溝５内で自由に回転することができるピン（図示せず）によって把持される。これにより、ラッチ部材６は、その軸を中心に回転することができる。
【００９０】
溝５は、ラッチ部材６の直径に一致するように構成および寸法決めされた直線状の経路１０に沿って、ラッチ部材６の並進を制限する。ラッチ部材６は、ラッチ状態（図５）と後退した状態（図６）との間で移動して、カメラプレート１００を取り込むおよび解放することができる。特に好ましくは、カメラプレート１００が本体２内に挿入されるときに、ラッチ部材６がラッチ位置まで付勢されて、機構が「自動的に」カメラプレート１００を取り込んでラッチする。
【００９１】
最も好ましくは、溝５が斜めの経路１０を形成する。好ましくは、斜めの経路１０は、カメラプレート１００のラッチ面１０５と略平行である。
【００９２】
また好ましくは、ラッチ部材６は、制限面１８によって、ラッチ状態を超えて溝５から飛び出すことが制限される。制限面１８は、ラッチ部材６の直径よりも小さい通路を形成して、ラッチ部材６が溝５から飛び出すことを防止する。
【００９３】
付勢手段１５は、溝５の外側に少なくとも部分的に延在し且つマウントプレート１００のラッチ面１０５と係合するように、ラッチ部材６を付勢する。これにより、本体２からマウントプレートが分離することを防止することができる。最も好ましくは、付勢手段１５は、コイルばねや板ばねのようなばね、またはその他の適切な付勢手段である。図５および図６には、付勢手段１５が模式的に示されている。ラッチ部材６を付勢（および解放）する機構のいくつかの例を、以下に詳細に記載する。
【００９４】
好ましくは、付勢手段１５は、ラッチ部材６が溝５の外側に少なくとも部分的に延在するようにラッチ部材６を付勢できるほど十分に強いが、解放手順中にカメラプレート１００を取り外すことが困難になるほど強くない。例えば、付勢されたラッチ部材６は、カメラプレート１００が自重によって（すなわちカメラマウントが例えば上下逆に傾けられた場合）本体２から解放されることを防止できることが好ましい場合がある。
【００９５】
カメラプレート１００がクイックリリース式カメラマウント１内に挿入されると、カメラプレート１００の周縁部１０４は、ラッチ部材６と係合して、カメラプレート１００の縁部がラッチ部材６をすり抜けるのに十分な距離で、ラッチ部材６を溝５内に後退させる。この段階で、ラッチ部材６は、少なくとも部分的に延在した位置に戻り、ラッチ状態でカメラプレート１００を取り込む。図３および図４に示すように、ラッチ状態において、カメラプレート１００は壁７間を摺動することができるが、クイックリリース式カメラマウント１から縦方向にカメラプレート１００を取り外すことはできない。
【００９６】
好ましくは、カメラプレート１００は、ラッチモードにおいて、クイックリリース式カメラマウント１から完全に滑り落ちることが防止される。これは、多くの方法によって達成することができる。例えば、クイックリリース式カメラマウント１は、特に図４に示すようにねじ止め９を備えていてもよい。ねじ止め９は、基部３のわずかに上方に配置されて、プレート１００の下側に設けられた補完的なねじ止め溝１０６と係合することができる。ねじ止め９は、カメラプレート１００の摺動を制限して、クイックリリース式カメラマウント１からカメラプレートが誤って押し出されるのを防止する。
【００９７】
図４に最もよく示すように、カメラプレート１００の摺動は、カメラプレート１００の摺動停止溝１０６によって形成された経路に制限される。この経路において、溝１０６の端部の壁部がねじ止め９に当接する。ラッチモードにおける制限された摺動によって、ユーザは、カメラプレート１００およびプレートに取り付けられた任意の機器の位置の微調整を行うことができる。ねじ止め９は、（図４に示すように）機能する上昇位置まで巻かれてもよく、図１に示す基本的に同一平面となる位置まで巻き下げられてもよい。この特徴によって、カメラマウント１を、異なるスタイルを有するカメラマウントプレート１００とともに必要に応じて使用することができるようになる。
【００９８】
代替的に（またはさらに）、図１に最もよく示すように、クイックリリース式カメラマウント１は、カメラマウントの基部３においてばね付きピン７１を備えていてもよい。ばね付きピン７１は、上述した溝１０６と同様に、カメラプレート１００のプレート基部１０２に補完的な溝（図示せず）と係合する。ばね付きピン７１は、クイックリリース式カメラマウント１からカメラプレート１００が誤って押し出されるのを防止する。ばね付きピン７１を使用する利点は、ピンによってクイックリリース式カメラマウント１をより広い範囲のカメラプレート１００で使用できることである。ばね付きピン７１は、（基部が対応する溝を有さない場合）カメラプレート１００の基部１０２の表面と係合したときに収縮する。ただし、基部が対応する溝を有する場合、ばね付きピン７１は、延在位置まで付勢されて、プレート基部１０２の対応する溝に侵入することができる。
【００９９】
＜リリース機構＞
【０１００】
クイックリリース式カメラマウント１からカメラプレート１００を解放するために、リリース機構によって、ラッチ部材（複数を含む）６が図６に示すようなクイックリリース式カメラマウントの溝５内に後退する（左側の溝５）。解放モードにおいて、ラッチ部材６はカメラプレート１００のラッチ面１０５から係合解除されて、クイックリリース式カメラマウント１からカメラプレート１００を取り外すことができる。
【０１０１】
好ましくは、リリース機構は、溝５内の付勢手段１５に対抗してラッチ部材６を移動させ、経路１０に沿ってラッチ部材６を溝５内に後退させる。この対抗機構によって、ラッチ部材６が付勢手段１５の力に対抗することができる。
【０１０２】
図３および図７に示すように、クイックリリース式カメラマウント１は、１つまたは複数のリリースボタン３１を備える。
【０１０３】
図７に最もよく示すように、リリースボタン３１は、傾斜ガイド溝３４を有するリリース体３２と接続される。図７において、ラッチ部材組立体６の１つは、その機構を示すために透過的に図示されている。リリースボタン３１が押されてリリースばね８が圧縮されたときに、傾斜ガイド溝３４は、ラッチ部材６の対応するピンと相互作用する。これにより、ラッチ部材６は、溝５内に後退する。後退位置において、クイックリリース式カメラマウント１からカメラプレート１００を取り外すことができる。
【０１０４】
図７に示す実施形態において、１つのラッチ部材６のみが、対応するリリースボタン３１を具備する。しかしながら、ユーザの所望の機能に応じて、単一のリリースボタン３１によって（ラッチ部材６との間の連結部を介して）両方のラッチ部材６が作動されてもよく、代替的に、両方のラッチ部材６が個別のリリースボタンを有してもよい。
【０１０５】
代替的に、リリースボタンは、それ自体がラッチ部材（複数を含む）６を移動することなく、代わりに例えば付勢力の一部または全部を緩和して、ラッチ部材６を後退させることができる。このタイプの構成において、クイックリリース式カメラマウント１からカメラプレート１００が取り外されると、カメラプレート１００の下端部１０７は、ラッチ部材６をクイックリリース式カメラマウントの溝５内に後退させる。
【０１０６】
＜ロック機構＞
【０１０７】
カメラマウント１の追加の機能には、クイックリリース式カメラマウント１のためのロック機構が含まれる。この特徴は、図７〜図１２に最もよく示されている。このロック機構は、上述したラッチ機構、または当該技術分野で既知のその他の適切なラッチ機構、特に「蟻継ぎ式」のカメラプレート１００と係合する斜めに配向されたロック部材を含むラッチ機構とともに使用することができる。
【０１０８】
ロックモードにおいて、クイックリリース式カメラマウント１は、カメラプレート１００を締め付けおよび固定して、カメラプレートの移動を防止する。このモードにおいて、カメラマウント１００と本体２との間の接続は、好ましくは基本的に強固である。
【０１０９】
好ましい実施形態において、カメラプレート１００は、リフトロック機構によって、クイックリリース式カメラマウントの本体２に固定される。このロック機構は、ラッチ部材６に対してカメラプレート１００を締め付けて、カメラプレート１００を固定する。
【０１１０】
好ましくは、リフトロック機構は、ロック制御部４（例えばレバーなど）と、ロックリング４０と、複数のボールベアリング４３と、ロックプレート２０とを備える。リフトロック機構を作動するために、ロック制御部４は、ボールベアリング４３を有するロックリング４０を回転させ、これにより、ロックプレート２０が持ち上げられる。ロックプレート２０が持ち上げられると、カメラプレート１００も持ち上げられて（溝５および端部の制限面１８によって制限されて上方向に移動できない）ラッチ部材６に対して締め付けられる。
【０１１１】
リフトロック機構は、ラッチ機構から独立して動作して、ラッチ機構とは異なる方向に動作する点で有利である。また、ロックプレート２０は、カメラプレート１００と係合する大きな表面積を有する。これにより、信頼できる安定した表面を提供することができる。カメラプレート１００に作用する大きな表面積を有するロックプレート２０を備えたクイックリリース式カメラマウント１は、特に重い物体に適している。大型のカメラ機器を操作する場合、安定したロック機構が特に望ましい。
【０１１２】
ロック制御部４は、クイックリリース式カメラマウント１をロック状態（図１１）とロック解除状態（図１０）との間で移動させる。好ましくは、ロック制御部４は、突出したアームまたはハンドルを備えたレバーである。レバー４は、ユーザにとって制御が容易であり、直感的に使用することができる。
【０１１３】
好ましくは、ロックリング４０は、インジケータ部４０１も含む。インジケータ部は、ロック状態とロック解除状態との間でロックリングとともに移動する様々な色（例えば赤と緑）が付けられた部分を含んでもよい。図１に示すように、インジケータウィンドウ４０２が設けられてもよい。インジケータウィンドウ４０２を介して、ロックインジケータ４０１の様々な色が付けられた部分を視認することができる。ロックレバーが回転すると、色が付けられた部分（例えば、ロックされている場合は赤、ロック解除されている場合は緑）がインジケータウィンドウ４０２に表示される。
【０１１４】
ロック制御部４は、少なくとも１つの傾斜ボール経路４１を有するロックリング４０に取り付けられる。傾斜ボール経路４１は、らせん状の経路から続く傾斜面を含む傾斜路４２を有する。好ましくは、ロックリング４０は、４つの傾斜ボール経路４１を有するが、任意の適切な数の経路が用いられてもよい。
【０１１５】
図７に最もよく示すように、ボールベアリング４３の動きは、ロックリング４０の傾斜ボール経路４１内に制限される。ボールベアリング４３は、傾斜ボール経路４１の幅以下の直径を有する。ボールベアリング４３は、ロックリング４０の上方でロックプレート２０を分離する。ボールベアリング４３は、滑らかであり、クイックリリース式カメラマウント１がロック状態とロック解除状態との間で移行する際に生じるロックリング４０とロックプレート２０との間の回転摩擦を低減する。ボールベアリング４３が設けられることで、リフトロック機構は、ロックリング４０がロックプレート２０と直接接触している場合よりも滑らかに動作することができる。複数のボールベアリング４３によって、多くの接触点が提供される。これにより、摩擦を低減して負荷に耐えることができる。より多くのボールベアリング４３を使用してロックプレート２０に対してより多くの接触点を提供することで重い機器を固定できるように、クイックリリース式カメラマウント１を採用することができる。
【０１１６】
（模式的な図９、図１２ａおよび図１２ｂに最もよく示すように）ロックプレート２０は、上面２１を備える。上面２１は、クイックリリース式カメラマウントの基部３に実質的に平行な実質的に平坦な面を形成する。これにより、カメラまたはその他の機器を平坦な面に取り付けることができる。好ましくは、ロックプレート２０は、ロックプレートの基部２２において、ロックリング４０の傾斜ボール経路４１を補完する少なくとも１つの傾斜ボール経路２３を有する。図８に模式的に示すように、ロックプレートの傾斜ボール経路は、ロック端部２６およびロック解除端部２７を有する傾斜面２４を備える。ロック端部２６は、ロック解除端部２７よりも薄い。図８に示すように、ロックプレートの傾斜ボール経路は、ロックリングの傾斜路４２に動作可能に対応するように構成された傾斜路２４を有する。
【０１１７】
ロックリング４０が第１の方向に回転すると、ベアリング４３がロック解除端部４４とロック端部４５との間で移動して、ロックプレート２０がより低い開始位置からより高い終了位置まで持ち上げられる。これにより、ロックプレートが持ち上げられてラッチ部材６を締め付ける。ロックリング４０が第１の方向に回転すると、ロックリング４０は、ロック解除端部４４におけるボールベアリング４３との係合位置からロック端部４５における係合位置まで移動する。また、ボールベアリング４３は、ロック解除端部２７におけるロックプレート２０との係合位置からロック端部２６における係合位置まで移動する。
【０１１８】
ねじ９とロックプレート２０との間には、スプリングワッシャまたは例えば圧縮可能なＯリングなどの付勢手段４００が設けられてもよい。この付勢手段４００は、ロックプレート２０およびロックリング４０のそれぞれの溝内でボール４３の位置が保持されるように機能する。
【０１１９】
レバー４が回転すると、ボールベアリング４３も回転する。例えば、レバー４が図１０に示す位置から図１１に示すロック位置に向けて反時計回りに回転すると、ボールベアリングは、ロックリング４０の傾斜ボール経路４１の傾斜路４２内で時計回りに移動する。ロックリング４０がボールベアリングの下でロック解除端部４４における係合位置からロック端部４５における係合位置まで回転すると、ボールベアリング４３は、らせん状の動きで上方向に移動する。ボールベアリング４３が上方向に移動すると、ロックプレート２０は、上方向に持ち上げられる。
【０１２０】
図１２ａを参照すると、ロックプレート２０が上方向に移動すると、カメラプレート１００は、ロック位置に押し込まれる。ロックプレート２０の上方向への移動は、クイックリリース式カメラマウント１のラッチ部材６に対してカメラプレート１００のラッチ面１０５を締め付ける。
【０１２１】
次に、クイックリリース式カメラマウント１のロックを解除するために、レバー４を第２の方向に回転させる。これにより、ロックプレート２０が下方向に下がる。ロックプレート２０が下方向に移動すると、カメラプレート１００は、クイックリリース式カメラマウント１のラッチ部材６から締め付けが解除されてロック解除位置となる。
【０１２２】
例えば、ロックプレート２０を下方向に下げるために、レバー４を時計回りに回転させる。ボールベアリング４３は、ロックリング４０のロック端部４５における係合位置からロック解除端部４４における係合位置まで移動する。ここで、ロック端部４５はロック解除端部４４よりも浅い。レバー４が時計回りに回転すると、ボールベアリング４３は、ロックリング４０の傾斜ボール経路４１内で反時計回りに移動する。
【０１２３】
ロック解除端部４４とロック端部４５との間の傾斜ボール経路４１の深さの差は、ラッチ部材６を締め付けるために必要な力を提供するのに十分である。
【０１２４】
＜代替のリリース機構＞
【０１２５】
クイックリリース式カメラマウント１のラッチ部材６のラッチを解除してクイックリリース式カメラマウント１からカメラプレート１００を解放するために、いくつかの代替のリリース機構を採用することができる。
【０１２６】
これらのリリース機構は、上述したラッチおよび／またはロック機構、またはその他の機構とともに使用され得る。
【０１２７】
リリース機構の１つのタイプによれば、ラッチ部材６の動きは、解放モードにあるときに、溝５の直線状の経路１０内のみに制限されなくなる。特に、代替のリリース機構は、ラッチ部材６に追加の移動度を提供する。これにより、ラッチ部材６は並進することができる。
【０１２８】
例えば、模式的な図１５ａ〜図１５ｃに示すように、クイックリリース式カメラマウント１は、任意選択で可動側壁１６を備える。解放されていない状態において、可動側壁１６は、溝５の壁の一部を構成し、ラッチ部材６の動きを直線状の経路１０内に制限する。この状態において、基部の差し込み部から外にカメラプレート１００を移動しようとすると、ラッチ部材６は、そのラッチ位置（溝５からラッチ部材が飛び出すことを防止する制限面１８の位置）に向けてさらに押される傾向がある。したがって、カメラプレート１００を解放することができない。
【０１２９】
解放された状態において、可動側壁１６は、外方向（すなわちプレート１００から離れる方向）に移動して、ラッチ部材６に追加の並進自由度を提供する。ラッチ部材６が、取り外されるカメラプレート１００の経路を確保するのに十分な空間を有するように、可動側壁１６は、十分に遠くに移動する（図１５ｂ）。
【０１３０】
代替の実施形態において、可動側壁１６は、上方向（または上方向と外方向とが組み合わされた方向）に移動してもよい。溝の斜め方向の配向によって、側壁１６のいずれかの移動は、マウントプレート１００から離れる方向で、ラッチ部材６の並進に必要な追加の自由度を提供する。可動側壁１６が上方向および／または外方向に移動したときに、解放されていない状態での可動側壁１６の位置に、空間１９が形成される。
【０１３１】
解放された状態において、ラッチ部材６は、カメラプレート１００のラッチ面１０５とラッチしなくなる。これにより、クイックリリース式カメラマウントからカメラプレート１００を取り外すことができる。
【０１３２】
代替的に、図１６に示すクイックリリース式カメラマウント１は、溝５内のラッチ部材６と係合するリリース部材１４を備える。リリース部材１４は、（図１６ｂに示すように）厚い端部と薄い端部とを有する。好ましくは、リリース部材１４の厚い端部は、ラッチ部材６と係合するように付勢され、これにより、ラッチ６は、溝５の外側に少なくとも部分的に延在する。このラッチ位置において、溝５は、上述したようにラッチ部材６の動きを単一の並進方向に沿って制限する。
【０１３３】
リリース部材１４が溝５に沿って押されたときに、リリース部材１４の薄い端部は、ラッチ部材６に隣接して配置される。その結果、ラッチ部材６は、追加の並進自由度に沿って、マウントプレート１００から離れる方向に後退することができる。
【０１３４】
代替的に、図１７には、回転カム７０を備えたクイックリリース式カメラマウント１が示されている。解放されていない状態において、回転カム７０は、ラッチ部材６の動きを直線状の経路１０内に制限する。回転カム７０がラッチ部材６から離れるように溝５内で逆回転すると、ラッチ部材の動きは、直線状の経路１０内のみに制限されなくなる。解放されていない状態での回転カム２０の位置に空間１９が形成されるため、ラッチ部材６は、空間１９内へ外方向に（すなわち追加の並進自由度で）並進することができる。解放された状態において、ラッチ部材６は、カメラプレート１００のラッチ面１０５とラッチしなくなる。これにより、クイックリリース式カメラマウントからカメラプレート１００を取り外すことができる。
【０１３５】
また代替的に、模式的な図１８には、ラッチ部材６に取り付けられたリリースタブ３０を備えたクイックリリース式カメラマウント１が示されている。このリリース機構は、溝５内の付勢手段１５に対抗して、制限された直線状の経路１０に沿ってラッチ部材６をクイックリリース式カメラマウント１の溝５内に後退させる。リリースタブ３０が付勢方向と反対の方向に引っ張られることで、付勢手段１５に対抗することができる。リリースタブ３０およびラッチ部材６は、外方向および下方向に後退位置まで引っ張られる。後退位置において、クイックリリース式カメラマウント１からカメラプレート１００を取り外すことができる。
【０１３６】
任意選択で、図１９には、ラッチ部材（複数を含む）６を後退させるために採用され得る角度が付けられた溝を有するリリースタブ３０が示されている。角度が付けられた溝は、部材１７が矢印の方向に移動したときにラッチ部材６が溝５内に後退するように、摺動部材１７のピンと相互作用する。
【０１３７】
代替的に、図２０には、ラッチ部材６と係合する溝５内のカムボタン３３を備えた別のクイックリリース式カメラマウント１が示されている。カムボタン３３は、その端部においてラッチ部材６と係合する傾斜面を有する。ラッチ解除位置（図示せず）において、カムボタン３３はラッチ部材６と相互作用せず、ラッチ部材６はラッチ位置をとることができる。ラッチ解除位置（図２０に示す）において、カムボタン３３はラッチ部材６と係合して、ラッチ部材６を溝５内の凹部位置に押し込む。これにより、カメラプレート１００を解放することができる。
【０１３８】
ラッチ機構には、以下に例示する他の多くの設計バリエーションが可能である。
【０１３９】
任意選択で、クイックリリース式カメラマウント１は、マウントプレート１００の長さに沿って係合するように構成された複数のラッチ部材６のための複数の溝５を有してもよい。特に、このような実施形態において、ラッチ部材６は、円筒形のラッチ部材ではなく、ボールベアリングであってよい。
【０１４０】
例えば、カメラマウント１の各側面は、２つ〜８つまたはそれ以上のボールベアリングを備えていてもよい。
【０１４１】
任意選択で、ラッチ部材６は、例えば円筒形、直角プリズムまたは正三角形プリズムの形状を有する。
【０１４２】
＜代替のリフトロック機構＞
【０１４３】
図１３ａおよび図１３ｂに模式的に示すように、リフトロック機構のための追加のオプションが提供される。例えば、ロック制御部４は、クイックリリース式カメラマウント１の本体２に対して移動するくさび状プレート５０を介してロックプレート２０を持ち上げるおよび／または下げるように構成されてもよい。
【０１４４】
ロック解除状態において、くさび状プレート５０は、部分的にロックプレート２０とクイックリリース式カメラマウント１の基部３との間に配置される。ロック解除状態からロック状態に移動するために、くさび状プレート５０は、ロックプレート２０とクイックリリース式カメラマウント１の基部３との間にさらに挿入される。これにより、ロックプレート２０が上方向に持ち上げられて、くさび状プレート５０がロック解除状態からロック状態に移行する。
【０１４５】
上述したように、ロックプレート２０が上方向に持ち上げられると、カメラプレート１００も上方向に持ち上げられて締め付けられる。
【０１４６】
くさび状プレート５０は、ロックプレート２０の下方の（一体成形されたまたは個別の部材として設けられた）対応する傾斜面と協働する傾斜面２８を有する。
【０１４７】
くさび状プレート５０の第１の側面５１は、くさび状プレートの第２の側面５２よりも厚い。また、ロックプレート２０は、第１の（より薄い）側面２６および第２の（より厚い）側面２７を有する補完的なくさび状部材２５を備える。本実施形態において、くさび状プレート５０の第２の側面５２がロックプレート２０の第２の側面２７に向けて移動してロックプレートが上方向に移動すると、くさび状プレート５０はロック位置に移動する。
【０１４８】
（図１３ｂに示す）一構成において、ロック制御部４は、レバーである。レバー４が旋回すると、くさび状プレート５０がクイックリリース式カメラマウント１内に押し込まれる。
【０１４９】
（図１３ａに示す）別の構成において、ロック制御部４は、カメラマウントの本体２と相互作用するように構成されたねじ付き部を備えたノブである。この構成において、ノブが第１の方向にねじられてくさびが移動するとロックプレートが持ち上げられ、ノブが逆の第２の方向にねじられるとロックプレートが下がる。
【０１５０】
図１４を参照すると、別の構成におけるロック制御部は、クイックリリース式カメラマウント１の基部３の下方でねじ付きシャフトを備える。ねじ付きシャフトは、一方の端部がロックプレート２０に取り付けられ、補完的なねじ部を介してカメラマウントの本体２と係合する。ねじ付きシャフトが（任意の適切な手段によって）回転されると、ねじ付きシャフトの端部がクイックリリース式カメラマウントの基部に対して縦方向に移動する。これにより、ロックプレート２０が持ち上げられる。
【０１５１】
＜横方向ロック＞
【０１５２】
図２１に模式的に示すように、別の構成におけるカメラプレート１００は、横方向ロック機構によってクイックリリース式カメラマウント１に固定される。
【０１５３】
例えば、一構成における横方向ロック機構は、２つの本体構成要素１１，１２を含むクイックリリース式カメラマウント１を実質的に備える。構成要素１１，１２は、上述したようにラッチ部材６がそれに沿って単一の方向に並進することができる制限溝５を画定する。ただし、本実施形態における第１の構成要素１１は、第２の構成要素１２に対して移動可能である。特に、第１の構成要素１１は、第２の構成要素１２に関して横方向に移動することができる。カメラプレート１００をロックするために、第１の構成要素１１は、（図２１ｂに示すように）カメラプレート１００に向けて横方向に移動して、ラッチ部材６がカメラプレート１００のラッチ面５に対して締め付けられる。これにより、カメラプレート１００が基部３に対して締め付けられて、基本的に強固な結合が確立される。
【０１５４】
図２１ｃに示すように、第１の構成要素１１を（ラッチ部材６から離れる方向に）戻すように移動することで、クイックリリース式マウント１のロックを解除することができる。このロック解除位置において、ラッチ部材６は、溝５内で上下方向に自由に移動することができ、上述したように、好ましくはラッチ位置まで付勢される。
【０１５５】
以下、図２２ａ〜図２２ｄを参照ながら、横方向ロック機構の代替の変形例を詳細に記載する。
【０１５６】
図２２ａには、可動構成要素１１に溝５が設けられた変形例が模式的に示されている。また、この変形例は、カメラマウント１の一方の側にラッチ部材６を１つだけ含む。本明細書に記載する多くの実施形態において、一方の側のみにラッチ部材が設けられてもよく、他方の側が固定ジョー３５を介してカメラプレート１００と係合してもよい。
【０１５７】
図２２ｂに示すように、ロック制御部４は、本体２の一方の構成要素１１に取り付けられる。クイックリリース式カメラマウント１をロックするために、ロック制御部４は、本体２の他方の構成要素１２に近づくように構成要素１１を移動する。レバー型のロック制御部４によって、カム面３６を介して締め付け力が加えられる。
【０１５８】
本体２の第１の構成要素１１と第２の構成要素１２とが互いに近づくと、カメラプレート１００がロック位置においてラッチ部材６と係合する。
【０１５９】
図２２ｃには、代替のねじ付きロック制御部４が模式的に示されている。このロック制御部４は、基本的に図２２ｂに示すレバー設計と同様に動作する。
【０１６０】
図２２ｄに示す別の構成において、クイックリリース式カメラマウント１の本体２は、ラッチ状態ではラッチ部材６と実質的に同じ平面にある側方開口部１３を有する。横方向ロック機構は、側方開口部１３内に配置された側方ロック部６０に取り付けられたロック制御部４を備える。ロック制御部４の動作が側方ロック部６０を並進させ、これにより、ラッチ部材６と係合する。
【０１６１】
ロック解除状態において、側方ロック部６０は、ラッチ部材６と係合しない。これにより、ラッチ部材は、溝５に沿って移動することができる。
【０１６２】
ロック状態において、側方ロック部６０がラッチ部材６と係合して、ラッチ部材６がカメラプレート１００のラッチ面１０５に対して締め付けられる。これにより、カメラプレート１００が適所にしっかりと固定される。
【０１６３】
＜円形プレート型クイックリリース機構＞
【０１６４】
図２３に示すように、さらなる実施形態における本発明は、概ね平面状の基部２０７を有し且つ円形の受容室２０３を画定する本体２０２を備えたクイックリリース式カメラマウント２０１である。受容室２０３は、実質的に円形のカメラプレート３００を受容するように構成される。クイックリリース式カメラマウント２０１は、信頼性を有し、操作が容易であり、人間工学に基づいて直感的に使用することができる。
【０１６５】
カメラマウント２０１は、カメラと三脚との間で使用されてもよく、代替的に、例えば三脚と三脚ヘッドとの間で使用されるクイックリリース式マウントとして構成されてもよい。また、マウント２０１は、カメラ機器と関係しない用途において使用されてもよい。
【０１６６】
クイックリリース式カメラマウント２０１は、ラッチモード、ロックモードおよびラッチ解除モードにおいて動作することができる。例えば、ラッチモードにおいて、クイックリリース式カメラマウント２０１は、円形のカメラプレート３００が挿入されたときにプレートを取り込む。ラッチモードにおいて、クイックリリース式カメラマウント１は、ラッチ解除機構を個別に作動させず、カメラプレート１００が解放されることを防止する。ラッチリング２３０が回転すると、ラッチ部材２０６は、ラッチ状態とラッチ解除状態との間で移動する。
【０１６７】
ロックモードにおいて、ロック機構は、クイックリリース式カメラマウント２０１内で円形のカメラプレート３００を締め付けて、カメラプレートの移動を防止する。ロックモードにおいて、カメラプレート１００は、他の取り付けられた機器を固定して安定させる。クイックリリース式カメラマウント２０１をロックするために、ロックリング２４０を回転させてロックプレート２２０を持ち上げる。これにより、カメラプレート３００がラッチ部材２０６に対して締め付けられる。
【０１６８】
円形のカメラプレート３００を解放するには、リリース機構が必要である。これは、ラッチリング２３０をラッチ解除状態になるように回転することで達成することができる。
【０１６９】
図２３に示すように、円形のカメラプレート３００は、上部３０１と、基部３０２と、開口部３０３と、周縁部３０４と、ラッチ面３０５とを備える。ラッチ面３０５は、カメラプレート３００の端部を中心に概ね半径方向に延在するリップ部３０７を備える。好ましくは、プレートの開口部３０３は、ボルトなどの固定手段が開口部を通過してカメラなどの機器を固定できるように構成される。
【０１７０】
図２３に示すように、クイックリリース式カメラマウント２０１は、複数のラッチ部材２０６を含む複数の溝２０５を有する。
【０１７１】
付勢リング２１１は、ラッチ状態になるようにラッチ部材２０６を付勢して、ここでラッチ部材２０６が円形のカメラプレート３００のラッチ面３０５と係合する。ラッチ部材２０６は、角度が付けられた溝２０５の外側に少なくとも部分的に延在し且つ受容室２０３内に延在するように付勢されて、ラッチ状態となる。これに関して、溝２０５は、上述した実施形態と同様に機能する。同様に、溝は、好ましくは水平面から３０度〜６０度の範囲の角度が付けられる。最も好ましくは、溝は、図２５に最もよく示すように水平面から４５度の角度が付けられる。
【０１７２】
ラッチ部材２０６は、制限面２１８によって、溝２０５から飛び出すのを防止される。制限面２１８は、ラッチ部材２０６の直径よりも小さい通路を形成して、ラッチ部材２０６が溝２０５から飛び出すことを防止する。
【０１７３】
好ましくは、ラッチ部材２０６は、ラッチ部材２０６と係合する付勢リング２１１によって、ラッチ位置まで上方向に付勢される。例えば、１つまたは複数のばね２１５が付勢リング２１１の下方に配置されてもよい。これにより、ラッチリングがラッチ位置（ラッチされる位置）あるいはリリース位置（把持されない位置）にあるときに、カメラプレート３００を受容室２０３内に挿入することができる。
【０１７４】
付勢手段２１５は、ラッチ部材２０６が溝２０５の外側に少なくとも部分的に延在するようにラッチ部材２０６を付勢できるほど十分に強いが、カメラプレート３００を取り外すことが困難になるほど強くない。この状態を、ソフトラッチと呼ぶ場合がある。
【０１７５】
カメラマウント２０１からプレート３００を取り外すために、ラッチリング２３０をラッチ状態からラッチ解除状態に回転するためのラッチ制御部２３１を配置する必要がある。好ましくは、ラッチリング２３０は、ばねなどの追加の付勢手段（図示せず）によって、ラッチ状態になるまで付勢される。これにより、プレートを適所に押し込んで自動的にラッチさせる「自動的な」ラッチ機能をカメラマウントに設けることができる。
【０１７６】
ラッチ解除状態において、ラッチリング２３０が回転すると、リリースキャビティ２３３が（図２３に示すように）ラッチ部材２０６と整列する。これにより、ラッチリング２３０は、ラッチ部材２０６との係合位置から外れて配置される。この位置において、ラッチ部材２０６は、円形のカメラプレート３００のラッチ面３０５に対して拘束されなくなり、カメラプレート３００をクイックリリース式カメラマウントから取り外すことができる。カメラプレート３００が取り外されると、プレートの下端部２０７は、ラッチ部材２０６をカメラマウントの溝２０５内に後退させる。
【０１７７】
カメラプレート３００を安全にラッチさせてその取り外しを防止しながら回転を可能にするために、ラッチリング２３０は、ラッチ制御部２３１を介してラッチ位置まで回転される。
【０１７８】
ラッチ状態において、ラッチリング２３０は、リリースキャビティ２３３がラッチ部材２０６と整列しないように回転される。これにより、ラッチリング２３０のラッチ面２３２がラッチ部材２０６と係合して、ラッチ部材２０６が溝２０５内に後退するのを防止する。この位置において、ラッチ部材２０６は、円形のカメラプレート３００のラッチ面３０５と係合する。リップ部３０７が延びているため、クイックリリース式カメラマウントからカメラプレート３００を取り外すことはできない。
【０１７９】
ただし、ラッチ部材は、付勢リング２１１によってカメラプレート３００に押し付けられているだけである。そのため、カメラプレート３００は、受容室２０３内で依然として回転することができる。この特徴は、カメラ（またはその他の取り付けられた機器）を所望の位置まで回転する際に役立つ場合がある。
【０１８０】
最も好ましくは、ラッチ部材２０６は、図２３および図２４に示すような複数のボールベアリングである。ボール状のラッチ部材２０６は、溝２０５内で滑らかに回転できるように構成される。これにより、ラッチ部材２０６とカメラプレート３００との間が円滑に相互作用することができる。
【０１８１】
代替的に、ラッチ部材２０６は、図２６および図２７に示すような円筒形のベアリングであってもよい。この代替の実施形態は、上記と同様に動作する。また、同様の要素には、同じ参照符号を適宜付している。
【０１８２】
＜ロック＞
【０１８３】
クイックリリース式カメラマウント２０１内で円形のカメラプレート３００をロックするために、上述したリフトロック機構を実質的に使用することができる。リフトロック機構は、図２３に最もよく示されている。好ましくは、カメラマウント２０１は、リフトロック機構を作動させるロック制御部２０４を備える。
【０１８４】
図８〜図１２に示す上記実施形態に関連して実質的に説明したように、ロック制御部２０４は、ボールベアリング２４３を介してロックリング２４０を回転させる。これにより、ロックプレート２２０が持ち上げられる。ロックプレート２２０が持ち上げられると、カメラプレート３３０も持ち上げられて（上方向に移動されて）ラッチ部材２０６に対して締め付けられる。ロックプレート２２０は、円形のカメラプレート３００と係合する大きな表面積を有する。これにより、大型で重いカメラ（またはその他の取り付けられた物体）に適した、信頼できる安定した表面を提供することができる。
【０１８５】
ロック制御部２０４は、クイックリリース式カメラマウント２０１をロック状態とロック解除状態との間で移動させる。ロック制御部２０４は、複数の傾斜ボール経路２４１を有するロックリング２４０に取り付けられる。ボールベアリング２４３の動きは、ロックリング２４０の上方でロックプレート２２０が分離されるように、ロックリング２４０の（らせん状の経路から続く）傾斜ボール経路４１内に制限される。複数のボールベアリング４３によって多くの接触点が提供され、これにより、摩擦を低減して負荷に耐えることができる。
【０１８６】
好ましくは、ロックプレート２２０は、ロックプレートの基部において、ロックリング２４０の傾斜ボール経路２４１を補完する複数の傾斜ボール経路２２３を有する。
【０１８７】
ロックリング２４０が第１の方向に回転すると、ロックプレート２２０がより低い開始位置からより高い終了位置まで持ち上げられる。ロックリング２４０が回転すると、ボールベアリング２４３は、らせん状の動きで上方向に移動する。ボールベアリング２４３が上方向に移動すると、ロックプレート２２０は、上方向に持ち上げられる。また、ロックプレート２２０が上方向に移動すると、カメラプレート３００は、ロック位置に押し込まれる。ここでロックプレート２２０は、クイックリリース式カメラマウント２０１のラッチ部材２０６に対してカメラプレート３００のラッチ面２０５を締め付ける。
【０１８８】
次に、クイックリリース式カメラマウント２０１のロックを解除するために、ロック制御部２０４を第２の方向に回転させる。これにより、ロックプレート２２０が下方向に下がり、カメラプレート３００は、ラッチ部材２０６から係合解除される。
【０１８９】
本発明が関係する当業者には、添付の特許請求の範囲で定義される本発明の範囲から逸脱することなく、本発明の構成への変更ならびに様々な異なる実施形態および用途が可能であることが明らかであろう。
【図１】
2020517879.tif 000003
【図２】
2020517879.tif 000004
【図３】
2020517879.tif 000005
【図４】
2020517879.tif 000006
【図５】
2020517879.tif 000007
【図６】
2020517879.tif 000008
【図７】
2020517879.tif 000009
【図８】
2020517879.tif 000010
【図９】
2020517879.tif 000011
【図１０】
2020517879.tif 000012
【図１１】
2020517879.tif 000013
【図１２ａ−１２ｂ】
2020517879.tif 000014
【図１３ａ】
2020517879.tif 000015
【図１３ｂ】
2020517879.tif 000016
【図１４】
2020517879.tif 000017
【図１５ａ】
2020517879.tif 000018
【図１５ｂ】
2020517879.tif 000019
【図１５ｃ】
2020517879.tif 000020
【図１６ａ】
2020517879.tif 000021
【図１６ｂ】
2020517879.tif 000022
【図１７ａ】
2020517879.tif 000023
【図１７ｂ】
2020517879.tif 000024
【図１８ａ】
2020517879.tif 000025
【図１８ｂ】
2020517879.tif 000026
【図１８ｃ】
2020517879.tif 000027
【図１９】
2020517879.tif 000028
【図２０】
2020517879.tif 000029
【図２１ａ】
2020517879.tif 000030
【図２１ｂ】
2020517879.tif 000031
【図２１ｃ】
2020517879.tif 000032
【図２２ａ】
2020517879.tif 000033
【図２２ｂ】
2020517879.tif 000034
【図２２ｃ】
2020517879.tif 000035
【図２２ｄ】
2020517879.tif 000036
【図２３】
2020517879.tif 000037
【図２４】
2020517879.tif 000038
【図２５】
2020517879.tif 000039
【図２６】
2020517879.tif 000040
【図２７】
2020517879.tif 000041
【手続補正書】
【提出日】令和1年6月21日(2019.6.21)
【手続補正１】
【補正対象書類名】明細書
【補正対象項目名】全文
【補正方法】変更
【補正の内容】
【発明の詳細な説明】
【技術分野】
【０００１】
本発明は、カメラマウントに関する。より詳細には、本発明は、クイックリリース式カメラマウントに関するが、これに限定されるものではない。
【背景技術】
【０００２】
本発明は、特にカメラプレートをロックおよび解放するためのクイックリリース式カメラマウントに関する。ただし、その他の用途にも容易に適用できるものである。
【０００３】
カメラやその他の光学機器は、スタンド、三脚またはその他の物体に取り付けられる場合がある。一般的に、カメラをカメラプレートに取り付けて、そのカメラプレートをカメラマウントに取り付けて、そのカメラマウントを支持対象の所望の物体に取り付けることができる。
【０００４】
カメラやカメラアクセサリは高価な場合があり、ユーザは、カメラを固定できる安定したマウントを望む場合が多い。
【０００５】
いくつかのカメラマウントは、ラッチモード、ロックモードおよび解放モードにおいて動作する。これは、カメラマウントの使いやすさを向上させる場合がある。
【０００６】
ラッチモードにおいて、カメラマウントがカメラプレートの移動範囲を制限する。
【０００７】
ロックモードにおいて、ロック機構がカメラマウント内でカメラプレートを強固にロックおよび固定して、その移動を防止する。
【０００８】
解放モードにおいて、ボタンなどのリリース機構がカメラプレートを解放する。これにより、カメラマウントからカメラプレートを取り外すことができる。
【０００９】
しかしながら、一部のカメラマウントには、特に直感的ではないものおよび／または使用が難しいものがある。また、その他のカメラマウントにおいて、特に大型の光学機器を使用する場合、安定性に限界がある。
【００１０】
さらに、カメラまたはその他の光学機器をカメラマウントに容易に固定できることが望ましい。より安定したカメラマウントが望ましい場合もある。
【００１１】
本明細書において、他の特許明細書およびその他の文献を含む外部情報源を参照している箇所は、本発明の特徴を説明するための背景を提供する目的で記載される。これらの情報源の参照は、特に明示した場合を除き、その情報源が本発明の先行技術であること或いはその情報源が当該技術分野における一般知識の一部を構成することを認めるものであると、いかなる管轄区域でも解釈されるべきではない。
【００１２】
本明細書の目的において、方法のステップが順番に記載されている場合、ステップが必ずしもその順番で時系列に並べられるという意味ではない。ただし、これは順番に関する他の論理的な解釈がない場合を除く。
【発明の概要】
【発明が解決しようとする課題】
【００１３】
本発明の目的は、上述した欠点を少なくとも１つ克服する或いは少なくとも部分的に改善する、または少なくとも有用な選択肢を一般に提供するクイックリリース式マウントを提供することである。
【課題を解決するための手段】
【００１４】
本発明の一態様において、本発明は、広義には、
・  ラッチ面をそれぞれ含む両側の側面を有するマウントプレートと、
・  マウントプレートを受容する差し込み部、およびマウントプレートのラッチ面と係合して差し込み部からマウントプレートが分離することを防止する少なくとも１つの可動ラッチ部材を有する基部と
を含むクイックリリース式マウントシステムを備える。マウントシステムは、差し込み部内でマウントプレートを強固に締め付けるロック機構をさらに備える。ロック機構は、基部に垂直な方向に、少なくとも１つのラッチ部材に対してマウントプレートを押し付けるように動作する。
【００１５】
別の態様によれば、マウントプレートを受容する差し込み部を有する基部は、マウントプレートの両側の側面の各ラッチ面と係合する少なくとも１つの可動ラッチ部材を含む。
【００１６】
別の態様によれば、ラッチ面と係合する複数の可動ラッチ部材が設けられる。
【００１７】
別の態様によれば、可動ラッチ部材は、基部の側壁の溝内にそれぞれ配置され、可動ラッチ部材の動きは、単一の並進自由度における経路に沿った移動のみに制限される。
【００１８】
別の態様によれば、経路は、差し込み部の底面（ｆｌｏｏｒ）に対して斜めに配向される。
【００１９】
別の態様によれば、経路は、
（ａ）約３０度〜約６０度の範囲、または
（ｂ）約４５度
の角度で、底面に対して斜めに配向される。
【００２０】
別の態様によれば、ラッチ部材は、
（ａ）ボールベアリング、または
（ｂ）実質的に円筒形のローラ、または
（ｃ）ボールベアリングと円筒形のローラとの組み合わせ
である。
【００２１】
別の態様によれば、ラッチ部材は、自由に回転することができる。
【００２２】
別の態様によれば、ラッチ部材は、ラッチ部材が少なくとも部分的に差し込み部内に突出するように、ラッチ位置まで付勢される。
【００２３】
別の態様によれば、マウントプレートの両側の側面は、マウントプレートの基部がマウントプレートの上部よりも広くなるように、斜めのラッチ面を含む。
【００２４】
別の態様によれば、マウントプレートのラッチ面から、差し込み部の一方の側に沿う少なくともすべてのラッチ部材を係合解除するために、リリース機構が設けられる。
【００２５】
別の態様によれば、リリース機構は、ラッチ部材を直線状の経路で並進させる。
【００２６】
別の態様によれば、ロック機構は、
・  差し込み部の底面に配置されたロックプレートであって、その下側にらせん状の経路を画定する複数のロックプレートボール経路を有するロックプレートと、
・  ロックプレートの下方に配置されたロックリングであって、その上側にらせん状の経路を画定してロックプレートボール経路を補完する複数のロックリングボール経路を有するロックリングと、
・  対応するロックプレートおよびロックリングボール経路内にそれぞれ配置された複数のボールベアリングと
を備える。ロックプレートに対するロックリングの回転によって、ボールベアリングがロックリングとロックプレートとを分離させ、これにより、マウントプレートがロックプレートとラッチ部材との間で締め付けられる。
【００２７】
別の態様によれば、互いに対応するボールベアリングとボール経路とのセットが３つ〜６つある。
【００２８】
別の態様によれば、ロック機構は、互いに対して並進するように構成された補完的なくさび状部材を備える。これにより、マウントプレートがラッチ部材に対して締め付けられる。
【００２９】
別の態様によれば、ロック機構は、少なくとも１つのねじ付き部材を備え、その回転によって、マウントプレートがラッチ部材に対して締め付けられる。
【００３０】
別の態様によれば、本発明は、広義には、基部上に支持されたマウントプレートを受容し且つマウントプレートのラッチ面と係合する少なくとも１つの可動ラッチ部材によって解放されることが防止されるクイックリリース式マウントシステムを備える。マウントは、基部から離れるようにマウントプレートを付勢して、マウントプレートが少なくとも１つのラッチ部材に対して強固に締め付けられるように、ロックモードでさらに動作する。
【００３１】
別の態様によれば、本発明は、広義には、差し込み部を画定する基部上に支持されたマウントプレートを受容するクイックリリース式マウントシステムを備える。クイックリリース式マウントシステムは、基部の側壁の溝内に配置された少なくとも１つのラッチ部材を含み、ラッチ状態にあるときに、
（ａ）少なくとも１つのラッチ部材は、マウントプレートのラッチ面と係合し、
（ｂ）少なくとも１つのラッチ部材の動きは、溝内において、単一の第１の方向における経路に沿った並進のみに制限される。ここで、経路は、マウントプレートの平面に対して斜めに配向される。
また、ラッチ解除状態にあるときに、少なくとも１つのラッチ部材の動きは、第１の方向に沿った並進のみに制限されない。
【００３２】
別の態様によれば、マウントシステムは、ラッチ面と係合する複数の可動ラッチ部材を有する。
【００３３】
別の態様によれば、ラッチ部材は、ラッチ解除状態にあるときに、少なくとも１つの構成要素が第１の方向に直交する状態で少なくとも１つの追加の方向に沿っておよび／またはマウントプレートのラッチ面から離れるように、並進することができる。
【００３４】
別の態様によれば、ラッチ部材は、ラッチ状態にあるときに、基部からマウントプレートが取り外されることを防止し、ラッチ解除状態にあるときに、基部からマウントプレートが取り外ざれることを許可する。
【００３５】
別の態様によれば、ラッチ部材は、ラッチ状態になるように付勢される。
【００３６】
別の態様によれば、少なくとも１つのラッチ部材は、溝から飛び出すことが制限される。
【００３７】
別の態様によれば、経路は、
（ａ）約３０度〜約６０度の範囲、または
（ｂ）約４５度
の角度で、マウントプレートの平面に対して斜めに配向される。
【００３８】
別の態様によれば、本発明は、広義には、上記の記載によるクイックリリース式マウントシステムを備える。ここで、ラッチ部材は、
（ａ）ボールベアリング、または
（ｂ）実質的に円筒形のローラ、または
（ｃ）ボールベアリングと円筒形のローラとの組み合わせ
である。
【００３９】
別の態様によれば、ラッチ部材は、自由に回転することができる。
【００４０】
別の態様によれば、ラッチ部材は、ラッチ部材が少なくとも部分的に差し込み部内に突出するように、ラッチ位置まで付勢される。
【００４１】
別の態様によれば、マウントプレートの両側の側面は、マウントプレートの基部がより高い部分よりも広くなるように、斜めのラッチ面を含む。
【００４２】
別の態様によれば、ラッチ部材の動きは、可動ラッチアクチュエータがラッチ位置にあるときに、可動ラッチアクチュエータによって、単一の第１の方向に沿った並進のみに制限される。
【００４３】
別の態様によれば、ラッチ部材の動きは、ラッチアクチュエータがラッチ解除位置にあるときに、単一の第１の方向に沿った並進のみに制限されなくなる。
【００４４】
別の態様によれば、ラッチアクチュエータは、ラッチ位置まで付勢される。
【００４５】
別の態様によれば、マウントプレートは、概ね円形であり、その周囲の少なくとも一部の周りで突出するリップ部を画定する。リップ部は、ラッチ面を画定する。
【００４６】
別の態様によれば、マウントプレートは、ラッチ状態にあるときに、基部に対して自由に回転することができる。
【００４７】
別の態様によれば、ラッチアクチュエータは、ラッチ部材を取り囲む回転可能なリングである。また、ラッチアクチュエータは、内縁の周りに間隔をあけて配置された一連のラッチカム面およびラッチ解除キャビティを画定し、
（ａ）ラッチカム面は、ラッチアクチュエータがラッチ位置にあるときに、それぞれのラッチ部材と係合して、ラッチ部材の動きを単一の第１の方向に沿った並進のみに制限し、
（ｂ）ラッチ解除キャビティは、ラッチアクチュエータがラッチ解除位置にあるときに、それぞれのラッチ部材と隣接するように配置され、これにより、ラッチ部材の動きは、単一の第１の方向に沿った並進のみに制限されなくなる。
【００４８】
別の態様によれば、ラッチ部材は、ラッチアクチュエータがラッチ解除位置にあるときに、半径方向外側に移動して、マウントプレートのラッチ面から係合解除され得る。
【００４９】
別の態様によれば、ラッチアクチュエータは、それぞれのラッチ部材の後方に配置された並進部材である。また、ラッチアクチュエータは、ラッチカム面およびラッチ解除キャビティを画定し、
（ａ）ラッチカム面は、ラッチアクチュエータがラッチ位置にあるときに、それぞれのラッチ部材と係合して、ラッチ部材の動きを単一の第１の方向に沿った並進のみに制限し、
（ｂ）ラッチ解除キャビティは、ラッチアクチュエータがラッチ解除位置にあるときに、それぞれのラッチ部材と隣接するように配置され、これにより、ラッチ部材の動きは、単一の第１の方向に沿った並進のみに制限されなくなる。
【００５０】
別の態様によれば、マウントは、基部から離れるようにマウントプレートを付勢して、マウントプレートが少なくとも１つのラッチ部材に対して締め付けられるように、ロックモードでさらに動作する。
【００５１】
別の態様によれば、ロックモードは、
・  差し込み部の底面に配置されたロックプレートであって、その下側にらせん状の経路を画定する複数のロックプレートボール経路を有するロックプレートと、
・  ロックプレートの下方に配置されたロックリングであって、その上側にらせん状の経路を画定してロックプレートボール経路を補完する複数のロックリングボール経路を有するロックリングと、
・  対応するロックプレートおよびロックリングボール経路内にそれぞれ配置された複数のボールベアリングと
を備えたロックシステムによって作動される。ロックプレートに対するロックリングの回転によって、ボールベアリングがロックリングとロックプレートとを分離させ、これにより、マウントプレートがロックプレートとラッチ部材との間で締め付けられる。
【００５２】
別の態様によれば、互いに対応するボールベアリングとボール経路とのセットが３つ〜６つある。
【００５３】
別の態様によれば、本発明は、広義には、
・  少なくとも１つのラッチ面を含むマウントプレートと、
・  マウントプレートを受容する差し込み部、およびマウントプレートのラッチ面と係合して差し込み部からマウントプレートが分離することを防止する少なくとも１つの可動ラッチ部材を有する基部と
を含むクイックリリース式マウントシステムを備える。マウントシステムは、差し込み部内でマウントプレートを強固に締め付けるロック機構をさらに備える。ロック機構は、基部に垂直な方向に、少なくとも１つのラッチ部材に対してマウントプレートを押し付けるように動作する。
【００５４】
別の態様によれば、本発明は、広義には、図１〜図１２のうちのいずれか１つまたは複数の図を参照して本明細書で説明するクイックリリース式マウントシステムを実質的に備える。
【００５５】
別の態様によれば、本発明は、広義には、図１３および図１４のいずれか一方または両方を参照して本明細書で説明するクイックリリース式マウントシステムを実質的に備える。
【００５６】
別の態様によれば、本発明は、広義には、図１５〜図２２のうちのいずれか１つまたは複数の図を参照して本明細書で説明するクイックリリース式マウントシステムを実質的に備える。
【００５７】
別の態様によれば、本発明は、広義には、図２３〜図２５のうちのいずれか１つまたは複数の図を参照して本明細書で説明するクイックリリース式マウントシステムを実質的に備える。
【００５８】
別の態様によれば、本発明は、広義には、図２６および図２７のうちのいずれか一方または両方を参照して本明細書で説明するクイックリリース式マウントシステムを実質的に備える。
【００５９】
本発明のその他の態様は、添付の図面を参照して例示する以下の説明から明らかになるであろう。
【００６０】
本明細書において使用される用語「および／または」は、「および」、「または」またはその両方を意味する。
【００６１】
本明細書において使用される名詞に続く「（複数を含む）」は、その名詞の複数形および／または単数形を意味する。
【００６２】
本明細書および特許請求の範囲において使用される用語「を備える」は、「から少なくとも部分的に構成される」を意味する。この用語を含む本明細書および特許請求の範囲の記載を解釈する際には、それぞれの記載においてその用語が付された特徴はすべて存在する必要があるが、その他の特徴も存在することができる。また、「備え」および「備えた」などの関連する用語も、同様に解釈される。
【図面の簡単な説明】
【００６３】
以下、図面を参照しながら例示的に本発明を説明する。
【図１】第１の構成によるクイックリリース式カメラマウントの斜視図である。
【図２】カメラプレートが部分的に係合している、図１のカメラマウントの斜視図である。
【図３】カメラプレートがマウント内で摺動している状態を示す、図１のカメラマウントの別の斜視図である。
【図４】図１のカメラマウントの変形例によるマウントの断面図である。
【図５】カメラプレートが係合している、図１のカメラマウントの模式的な断面図である。
【図６】ラッチ部材がラッチ解除状態にあり、カメラプレートが取り外された、図５のカメラマウントの模式的な断面図である。
【図７】図１のカメラマウントのラッチ機構の部分分解図である。
【図８】ロック機構の概念を示す模式図である。
【図９】ロック機構のさらなる概念を示す模式図である。
【図１０】ロック解除状態にある、図１のカメラマウントのロック機構の部分分解図である。
【図１１】ロック状態にある、図１０のカメラマウントのロック機構の部分分解図である。
【図１２ａ】ロック状態にある、図１１のロック機構の断面図である。
【図１２ｂ】ロック解除状態にある、図１０のロック機構の模式的な断面図である。
【図１３ａ】代替のロック機構の概念を示す模式図である。
【図１３ｂ】別の代替のロック機構の概念を示す模式図である。
【図１４】別の代替のロック機構の概念を示す模式図である。
【図１５ａ】ラッチ状態にある、リリース機構の模式図である。
【図１５ｂ】ラッチ解除状態にある、リリース機構の模式図である。
【図１５ｃ】カメラプレートが取り外された、リリース機構の模式図である。
【図１６ａ】代替のリリース機構の模式図である。
【図１６ｂ】代替のリリース機構の模式的な斜視図である。
【図１７ａ】ラッチ状態にある、別の代替のリリース機構の模式図である。
【図１７ｂ】ラッチ解除状態にある、別のリリース機構の模式図である。
【図１８ａ】ラッチ状態にある、別の代替のリリース機構の模式図である。
【図１８ｂ】ラッチ解除状態にある、別の代替のリリース機構の模式図である。
【図１８ｃ】カメラプレートが取り外された、別の代替のリリース機構の模式図である。
【図１９】別の代替のリリース機構の模式図である。
【図２０】別の代替のリリース機構の模式図である。
【図２１ａ】ラッチ状態にある、別の代替のロック機構の模式図である。
【図２１ｂ】ロック状態にある、別の代替のロック機構の模式図である。
【図２１ｃ】別の代替のロック機構の模式図である。
【図２２ａ】別の代替のロック機構の模式図である。
【図２２ｂ】別の代替のロック機構の模式図である。
【図２２ｃ】別の代替のロック機構の模式図である。
【図２２ｄ】別の代替のロック機構の模式図である。
【図２３】代替のクイックリリース式カメラマウントの部分透過図である。
【図２４】図２３のクイックリリース式カメラマウントの断面図である。
【図２５】図２３のクイックリリース式カメラマウントの部分断面図である。
【図２６】別の代替のクイックリリース式カメラマウントの部分透過図である。
【図２７】図２５のクイックリリース式カメラマウントの断面図である。
【発明を実施するための形態】
【００６４】
図１〜図２７に示す本発明の様々な実施形態における様々な態様によれば、特にカメラマウントとして以下に説明するクイックリリース式マウントが提供される。
【００６５】
図１〜図１２には、操作が容易であり、安全且つ信頼性を有し、製造が容易な実質的に長方形のクイックリリース式カメラマウント１が示されている。クイックリリース式カメラマウント１は、カメラプレート１００を受容するように構成される。カメラマウント１は、本体２と、基部３と、ロック制御部４と、溝（ｓｌｏｔ）５内で動作するラッチ部材６とを備える。
【００６６】
好ましくは、クイックリリース式カメラマウント１は、カメラなどの光学機器を、例えば下部マウント８０を介して、スタンド、カメラスライダー、または自転車のマウントなどの別の物体に取り付けるために使用される。
【００６７】
また、クイックリリース式カメラマウントは、特にクイックリリース式ロック機構が役立つその他の用途を含む、一般的に知られているその他の物体を取り付けるのに適している。例えば、安定したマウントの利点を受けることができるその他の光学機器、レーザ、ならびに技術的および／または科学的機器が多くある。
【００６８】
好ましくは、クイックリリース式カメラマウント１は、ラッチモード、ロックモードおよび解放モードにおいて動作することができる。
【００６９】
ラッチモードにおいて、クイックリリース式カメラマウント１は、カメラプレート１００が挿入されたときにカメラプレートを取り込む。好ましくは、ラッチモードにおいて、クイックリリース式カメラマウント１は、カメラプレート１００の縦方向の移動やカメラプレート１００が本体２から意図せずに解放されることを防止する。ラッチモードにおいて、カメラプレート１００は、クイックリリース式カメラマウント１内で制限された直線移動に沿って摺動することができる。これにより、ユーザは、カメラプレート１００の位置の微調整を行うことができる。好ましくは、カメラプレート１００は、単にプレート１００をマウント本体２内に押し込む片手操作によって、クイックリリース式カメラマウント１内に挿入され得る。
【００７０】
ロックモードにおいて、ロック機構は、クイックリリース式カメラマウント内でカメラプレート１００を締め付けて、カメラプレートの移動を防止する。これにより、プレートは、適所に実質的に強固に把持される。ロックモードにおいて、カメラプレート１００は安定して固定される。これにより、取り付けられた機器を動かない状態にして、「カメラのぶれ」を防止することができる。
【００７１】
解放モードにおいて、クイックリリース式カメラマウント１のリリース機構は、カメラプレート１００を解放する。代替の構成を参照して以下に説明するように、解放モードにおいて、クイックリリース式カメラマウント１から縦方向および／または任意選択で横方向にカメラプレート１００を取り外すことができる。
【００７２】
＜カメラプレート＞
【００７３】
好ましくは、図１に示すカメラプレート１００は、概ね長方形であり、上部１０１と、基部１０２と、開口部（ａｐｅｒｔｕｒｅ）１０３と、周縁部１０４と、ラッチ面１０５と、下端部１０７とを備える。カメラプレートの上部１０１は、実質的に平らであり、これにより、カメラプレート１００に対して機器を平らに配置することができる。
【００７４】
好ましくは、プレートの開口部１０３は、ボルトなどの固定手段が開口部を通過してカメラなどの機器（図示せず）を固定できるように構成される。この目的のために、カメラなどの機器には、一般的に標準のねじ付き凹部が設けられている。
【００７５】
カメラプレート１００は、少なくとも１つのラッチ面１０５を備えるが、両側の２つのラッチ面１０５を備えることが好ましい。ラッチ面１０５は、平面状であってよく、代替的には、（概ね凸状または概ね凹状に）湾曲していてもよい。
【００７６】
図２に最もよく示すように、カメラプレート１００を挿入するために、クイックリリース式カメラマウント１は、カメラプレート１００のラッチ面１０５と係合して、カメラプレートを取り込む。代替的に、カメラプレート１００を下向きに直接挿入して、カメラマウントの本体２内に押し込むこともできる。
【００７７】
カメラプレート１００と本体または基部ユニット２との間の接続は、テーパ状のほぞ（すなわちラッチ面１０５を有するカメラプレート１００）がほぞ穴（すなわちラッチ部材６を含む且つ対応する角度が付けられた側壁７を有する基部ユニット２）と係合する箇所において、蟻継ぎに類似する。
【００７８】
好ましくは、カメラプレート１００のラッチ面１０５は、蟻継ぎ式のプレート構成で示されるように、概ね斜めに配向される。
【００７９】
好ましくは、ラッチ面１０５は、カメラプレート１００の基部１０２に対して約３０度〜６０度の範囲の角度を有する。
【００８０】
最も好ましくは、ラッチ面１０５は、カメラプレート１００の基部１０２に対して約４５度の角度を有する。
【００８１】
任意選択で、カメラプレート１００は、プレート基部１０２上に、図４に示すような摺動停止溝１０６を有する。摺動停止溝１０６は、カメラプレート１００の長さの一部に沿って延在する。好ましくは、摺動停止溝１０６は、プレートの周縁部１０４に達することがないように、カメラプレート１００の長さに沿って延在する。
【００８２】
＜ラッチ機構＞
【００８３】
図１〜図６には、ラッチ機構を有するクイックリリース式カメラマウント１が示されている。
【００８４】
図２に示すように、カメラプレート１００は、クイックリリース式カメラマウント１内に下向きに挿入される。代替的に、（一部の構成において）クイックリリース式カメラマウント１内へ横方向にカメラプレート１００を摺動させることで、カメラプレート１００がクイックリリース式カメラマウント１内に挿入されてもよい。
【００８５】
カメラプレート１００がクイックリリース式カメラマウント１内に挿入されると、ラッチ部材（複数を含む）６が元の位置に跳ね返るときに、カメラマウントはカメラプレート１００を自動的に取り込んでラッチモードとする。ラッチモードからカメラプレート１００を解放するには、リリース機構が必要である。
【００８６】
図３に示すように、ラッチモードにおいて、クイックリリース式カメラマウント１は、基部２から分離しないよう制限されながら、クイックリリース式カメラマウントの内側の側壁７に平行な方向に移動することができる。ラッチモードにおいて、カメラプレート１００は、制限された横方向の動きで並進することができる。これにより、カメラプレート１００の微調整を行うことができる。カメラプレート１００が最終的な位置でしっかりと（すなわち基本的に強固に）ロックされる前に、対象物に向かう方向または対象物から離れる方向にカメラプレート１００を調整できることは有用である。
【００８７】
模式的な図５および図６には、溝５を有するクイックリリース式カメラマウント１が最も明確に示されている。溝５内には、（模式的に示す）ラッチ部材６と、対応する付勢手段１５とが含まれる。
【００８８】
ラッチ部材６は、円筒形のベアリングであり、好ましくは溝５内で（円筒形の軸を中心に）滑らかに回転できるよう構成される。この特徴によって、プレートが挿入されたときに、ラッチ部材６とカメラプレート１００との間で円滑な相互作用が提供され得る。ラッチ部材６は、溝５内で自由に回転することができるピン（図示せず）によって把持される。これにより、ラッチ部材６は、その軸を中心に回転することができる。
【００８９】
溝５は、ラッチ部材６の直径に一致するように構成および寸法決めされた直線状の経路１０に沿って、ラッチ部材６の並進を制限する。ラッチ部材６は、ラッチ状態（図５）と後退した状態（図６）との間で移動して、カメラプレート１００を取り込むおよび解放することができる。特に好ましくは、カメラプレート１００が本体２内に挿入されるときに、ラッチ部材６がラッチ位置まで付勢されて、機構が「自動的に」カメラプレート１００を取り込んでラッチする。
【００９０】
最も好ましくは、溝５が斜めの経路１０を形成する。好ましくは、斜めの経路１０は、カメラプレート１００のラッチ面１０５と略平行である。
【００９１】
また好ましくは、ラッチ部材６は、制限面１８によって、ラッチ状態を超えて溝５から飛び出すことが制限される。制限面１８は、ラッチ部材６の直径よりも小さい通路を形成して、ラッチ部材６が溝５から飛び出すことを防止する。
【００９２】
付勢手段１５は、溝５の外側に少なくとも部分的に延在し且つマウントプレート１００のラッチ面１０５と係合するように、ラッチ部材６を付勢する。これにより、本体２からマウントプレートが分離することを防止することができる。最も好ましくは、付勢手段１５は、コイルばねや板ばねのようなばね、またはその他の適切な付勢手段である。図５および図６には、付勢手段１５が模式的に示されている。ラッチ部材６を付勢（および解放）する機構のいくつかの例を、以下に詳細に記載する。
【００９３】
好ましくは、付勢手段１５は、ラッチ部材６が溝５の外側に少なくとも部分的に延在するようにラッチ部材６を付勢できるほど十分に強いが、解放手順中にカメラプレート１００を取り外すことが困難になるほど強くない。例えば、付勢されたラッチ部材６は、カメラプレート１００が自重によって（すなわちカメラマウントが例えば上下逆に傾けられた場合）本体２から解放されることを防止できることが好ましい場合がある。
【００９４】
カメラプレート１００がクイックリリース式カメラマウント１内に挿入されると、カメラプレート１００の周縁部１０４は、ラッチ部材６と係合して、カメラプレート１００の縁部がラッチ部材６をすり抜けるのに十分な距離で、ラッチ部材６を溝５内に後退させる。この段階で、ラッチ部材６は、少なくとも部分的に延在した位置に戻り、ラッチ状態でカメラプレート１００を取り込む。図３および図４に示すように、ラッチ状態において、カメラプレート１００は、壁７間を摺動することができるが、クイックリリース式カメラマウント１から縦方向にカメラプレート１００を取り外すことはできない。
【００９５】
好ましくは、カメラプレート１００は、ラッチモードにおいて、クイックリリース式カメラマウント１から完全に滑り落ちることが防止される。これは、多くの方法によって達成することができる。例えば、クイックリリース式カメラマウント１は、特に図４に示すようにねじ止め９を備えていてもよい。ねじ止め９は、基部３のわずかに上方に配置されて、プレート１００の下側に設けられた補完的なねじ止め溝１０６と係合することができる。ねじ止め９は、カメラプレート１００の摺動を制限して、クイックリリース式カメラマウント１からカメラプレートが誤って押し出されるのを防止する。
【００９６】
図４に最もよく示すように、カメラプレート１００の摺動は、カメラプレート１００の摺動停止溝１０６によって形成された経路に制限される。この経路において、溝１０６の端部の壁部がねじ止め９に当接する。ラッチモードにおける制限された摺動によって、ユーザは、カメラプレート１００およびプレートに取り付けられた任意の機器の位置の微調整を行うことができる。ねじ止め９は、（図４に示すように）機能する上昇位置まで巻かれてもよく、図１に示す基本的に同一平面となる位置まで巻き下げられてもよい。この特徴によって、カメラマウント１を、異なるスタイルを有するカメラマウントプレート１００とともに必要に応じて使用することができるようになる。
【００９７】
代替的に（またはさらに）、図１に最もよく示すように、クイックリリース式カメラマウント１は、カメラマウントの基部３においてばね付きピン７１を備えていてもよい。ばね付きピン７１は、上述した溝１０６と同様に、カメラプレート１００のプレート基部１０２に補完的な溝（図示せず）と係合する。ばね付きピン７１は、クイックリリース式カメラマウント１からカメラプレート１００が誤って押し出されるのを防止する。ばね付きピン７１を使用する利点は、ピンによってクイックリリース式カメラマウント１をより広い範囲のカメラプレート１００で使用できることである。ばね付きピン７１は、（基部が対応する溝を有さない場合）カメラプレート１００の基部１０２の表面と係合したときに収縮する。ただし、基部が対応する溝を有する場合、ばね付きピン７１は、延在位置まで付勢されて、プレート基部１０２の対応する溝に侵入することができる。
【００９８】
＜リリース機構＞
【００９９】
クイックリリース式カメラマウント１からカメラプレート１００を解放するために、リリース機構によって、ラッチ部材（複数を含む）６が図６に示すようなクイックリリース式カメラマウントの溝５内に後退する（左側の溝５）。解放モードにおいて、ラッチ部材６はカメラプレート１００のラッチ面１０５から係合解除されて、クイックリリース式カメラマウント１からカメラプレート１００を取り外すことができる。
【０１００】
好ましくは、リリース機構は、溝５内の付勢手段１５に対抗してラッチ部材６を移動させ、経路１０に沿ってラッチ部材６を溝５内に後退させる。この対抗機構によって、ラッチ部材６が付勢手段１５の力に対抗することができる。
【０１０１】
図３および図７に示すように、クイックリリース式カメラマウント１は、１つまたは複数のリリースボタン３１を備える。
【０１０２】
図７に最もよく示すように、リリースボタン３１は、傾斜ガイド溝３４を有するリリース体３２と接続される。図７において、ラッチ部材組立体６の１つは、その機構を示すために透過的に図示されている。リリースボタン３１が押されてリリースばね８が圧縮されたときに、傾斜ガイド溝３４は、ラッチ部材６の対応するピンと相互作用する。これにより、ラッチ部材６は、溝５内に後退する。後退位置において、クイックリリース式カメラマウント１からカメラプレート１００を取り外すことができる。
【０１０３】
図７に示す実施形態において、１つのラッチ部材６のみが、対応するリリースボタン３１を具備する。しかしながら、ユーザの所望の機能に応じて、単一のリリースボタン３１によって（ラッチ部材６との間の連結部を介して）両方のラッチ部材６が作動されてもよく、代替的に、両方のラッチ部材６が個別のリリースボタンを有してもよい。
【０１０４】
代替的に、リリースボタンは、それ自体がラッチ部材（複数を含む）６を移動することなく、代わりに例えば付勢力の一部または全部を緩和して、ラッチ部材６を後退させることができる。このタイプの構成において、クイックリリース式カメラマウント１からカメラプレート１００が取り外されると、カメラプレート１００の下端部１０７は、ラッチ部材６をクイックリリース式カメラマウントの溝５内に後退させる。
【０１０５】
＜ロック機構＞
【０１０６】
カメラマウント１の追加の機能には、クイックリリース式カメラマウント１のためのロック機構が含まれる。この特徴は、図７〜図１２に最もよく示されている。このロック機構は、上述したラッチ機構、または当該技術分野で既知のその他の適切なラッチ機構、特に「蟻継ぎ式」のカメラプレート１００と係合する斜めに配向されたロック部材を含むラッチ機構とともに使用することができる。
【０１０７】
ロックモードにおいて、クイックリリース式カメラマウント１は、カメラプレート１００を締め付けおよび固定して、カメラプレートの移動を防止する。このモードにおいて、カメラマウント１００と本体２との間の接続は、好ましくは基本的に強固である。
【０１０８】
好ましい実施形態において、カメラプレート１００は、リフトロック機構によって、クイックリリース式カメラマウントの本体２に固定される。このロック機構は、ラッチ部材６に対してカメラプレート１００を締め付けて、カメラプレート１００を固定する。
【０１０９】
好ましくは、リフトロック機構は、ロック制御部４（例えばレバーなど）と、ロックリング４０と、複数のボールベアリング４３と、ロックプレート２０とを備える。リフトロック機構を作動するために、ロック制御部４は、ボールベアリング４３を有するロックリング４０を回転させ、これにより、ロックプレート２０が持ち上げられる。ロックプレート２０が持ち上げられると、カメラプレート１００も持ち上げられて（溝５および端部の制限面１８によって制限されて上方向に移動できない）ラッチ部材６に対して締め付けられる。
【０１１０】
リフトロック機構は、ラッチ機構から独立して動作して、ラッチ機構とは異なる方向に動作する点で有利である。また、ロックプレート２０は、カメラプレート１００と係合する大きな表面積を有する。これにより、信頼できる安定した表面を提供することができる。カメラプレート１００に作用する大きな表面積を有するロックプレート２０を備えたクイックリリース式カメラマウント１は、特に重い物体に適している。大型のカメラ機器を操作する場合、安定したロック機構が特に望ましい。
【０１１１】
ロック制御部４は、クイックリリース式カメラマウント１をロック状態（図１１）とロック解除状態（図１０）との間で移動させる。好ましくは、ロック制御部４は、突出したアームまたはハンドルを備えたレバーである。レバー４は、ユーザにとって制御が容易であり、直感的に使用することができる。
【０１１２】
好ましくは、ロックリング４０は、インジケータ部４０１も含む。インジケータ部は、ロック状態とロック解除状態との間でロックリングとともに移動する様々な色（例えば赤と緑）が付けられた部分を含んでもよい。図１に示すように、インジケータウィンドウ４０２が設けられてもよい。インジケータウィンドウ４０２を介して、ロックインジケータ４０１の様々な色が付けられた部分を視認することができる。ロックレバーが回転すると、色が付けられた部分（例えば、ロックされている場合は赤、ロック解除されている場合は緑）がインジケータウィンドウ４０２に表示される。
【０１１３】
ロック制御部４は、少なくとも１つの傾斜ボール経路４１を有するロックリング４０に取り付けられる。傾斜ボール経路４１は、らせん状の経路から続く傾斜面を含む傾斜路４２を有する。好ましくは、ロックリング４０は、４つの傾斜ボール経路４１を有するが、任意の適切な数の経路が用いられてもよい。
【０１１４】
図７に最もよく示すように、ボールベアリング４３の動きは、ロックリング４０の傾斜ボール経路４１内に制限される。ボールベアリング４３は、傾斜ボール経路４１の幅以下の直径を有する。ボールベアリング４３は、ロックリング４０の上方でロックプレート２０を分離する。ボールベアリング４３は、滑らかであり、クイックリリース式カメラマウント１がロック状態とロック解除状態との間で移行する際に生じるロックリング４０とロックプレート２０との間の回転摩擦を低減する。ボールベアリング４３が設けられることで、リフトロック機構は、ロックリング４０がロックプレート２０と直接接触している場合よりも滑らかに動作することができる。複数のボールベアリング４３によって、多くの接触点が提供される。これにより、摩擦を低減して負荷に耐えることができる。より多くのボールベアリング４３を使用してロックプレート２０に対してより多くの接触点を提供することで重い機器を固定できるように、クイックリリース式カメラマウント１を採用することができる。
【０１１５】
（模式的な図９、図１２ａおよび図１２ｂに最もよく示すように）ロックプレート２０は、上面２１を備える。上面２１は、クイックリリース式カメラマウントの基部３に実質的に平行な実質的に平坦な面を形成する。これにより、カメラまたはその他の機器を平坦な面に取り付けることができる。好ましくは、ロックプレート２０は、ロックプレートの基部２２において、ロックリング４０の傾斜ボール経路４１を補完する少なくとも１つの傾斜ボール経路２３を有する。図８に模式的に示すように、ロックプレートの傾斜ボール経路は、ロック端部２６およびロック解除端部２７を有する傾斜面２４を備える。ロック端部２６は、ロック解除端部２７よりも薄い。図８に示すように、ロックプレートの傾斜ボール経路は、ロックリングの傾斜路４２に動作可能に対応するように構成された傾斜路２４を有する。
【０１１６】
ロックリング４０が第１の方向に回転すると、ベアリング４３がロック解除端部４４とロック端部４５との間で移動して、ロックプレート２０がより低い開始位置からより高い終了位置まで持ち上げられる。これにより、ロックプレートが持ち上げられてラッチ部材６を締め付ける。ロックリング４０が第１の方向に回転すると、ロックリング４０は、ロック解除端部４４におけるボールベアリング４３との係合位置からロック端部４５における係合位置まで移動する。また、ボールベアリング４３は、ロック解除端部２７におけるロックプレート２０との係合位置からロック端部２６における係合位置まで移動する。
【０１１７】
ねじ９とロックプレート２０との間には、スプリングワッシャまたは例えば圧縮可能なＯリングなどの付勢手段４００が設けられてもよい。この付勢手段４００は、ロックプレート２０およびロックリング４０のそれぞれの溝内でボール４３の位置が保持されるように機能する。
【０１１８】
レバー４が回転すると、ボールベアリング４３も回転する。例えば、レバー４が図１０に示す位置から図１１に示すロック位置に向けて反時計回りに回転すると、ボールベアリングは、ロックリング４０の傾斜ボール経路４１の傾斜路４２内で時計回りに移動する。ロックリング４０がボールベアリングの下でロック解除端部４４における係合位置からロック端部４５における係合位置まで回転すると、ボールベアリング４３は、らせん状の動きで上方向に移動する。ボールベアリング４３が上方向に移動すると、ロックプレート２０は、上方向に持ち上げられる。
【０１１９】
図１２ａを参照すると、ロックプレート２０が上方向に移動すると、カメラプレート１００は、ロック位置に押し込まれる。ロックプレート２０の上方向への移動は、クイックリリース式カメラマウント１のラッチ部材６に対してカメラプレート１００のラッチ面１０５を締め付ける。
【０１２０】
次に、クイックリリース式カメラマウント１のロックを解除するために、レバー４を第２の方向に回転させる。これにより、ロックプレート２０が下方向に下がる。ロックプレート２０が下方向に移動すると、カメラプレート１００は、クイックリリース式カメラマウント１のラッチ部材６から締め付けが解除されてロック解除位置となる。
【０１２１】
例えば、ロックプレート２０を下方向に下げるために、レバー４を時計回りに回転させる。ボールベアリング４３は、ロックリング４０のロック端部４５における係合位置からロック解除端部４４における係合位置まで移動する。ここで、ロック端部４５はロック解除端部４４よりも浅い。レバー４が時計回りに回転すると、ボールベアリング４３は、ロックリング４０の傾斜ボール経路４１内で反時計回りに移動する。
【０１２２】
ロック解除端部４４とロック端部４５との間の傾斜ボール経路４１の深さの差は、ラッチ部材６を締め付けるために必要な力を提供するのに十分である。
【０１２３】
＜代替のリリース機構＞
【０１２４】
クイックリリース式カメラマウント１のラッチ部材６のラッチを解除してクイックリリース式カメラマウント１からカメラプレート１００を解放するために、いくつかの代替のリリース機構を採用することができる。
【０１２５】
これらのリリース機構は、上述したラッチおよび／またはロック機構、またはその他の機構とともに使用され得る。
【０１２６】
リリース機構の１つのタイプによれば、ラッチ部材６の動きは、解放モードにあるときに、溝５の直線状の経路１０内のみに制限されなくなる。特に、代替のリリース機構は、ラッチ部材６に追加の移動度を提供する。これにより、ラッチ部材６は並進することができる。
【０１２７】
例えば、模式的な図１５ａ〜図１５ｃに示すように、クイックリリース式カメラマウント１は、任意選択で可動側壁１６を備える。解放されていない状態において、可動側壁１６は、溝５の壁の一部を構成し、ラッチ部材６の動きを直線状の経路１０内に制限する。この状態において、基部の差し込み部から外にカメラプレート１００を移動しようとすると、ラッチ部材６は、そのラッチ位置（溝５からラッチ部材が飛び出すことを防止する制限面１８の位置）に向けてさらに押される傾向がある。したがって、カメラプレート１００を解放することができない。
【０１２８】
解放された状態において、可動側壁１６は、外方向（すなわちプレート１００から離れる方向）に移動して、ラッチ部材６に追加の並進自由度を提供する。ラッチ部材６が、取り外されるカメラプレート１００の経路を確保するのに十分な空間を有するように、可動側壁１６は、十分に遠くに移動する（図１５ｂ）。
【０１２９】
代替の実施形態において、可動側壁１６は、上方向（または上方向と外方向とが組み合わされた方向）に移動してもよい。溝の斜め方向の配向によって、側壁１６のいずれかの移動は、マウントプレート１００から離れる方向で、ラッチ部材６の並進に必要な追加の自由度を提供する。可動側壁１６が上方向および／または外方向に移動したときに、解放されていない状態での可動側壁１６の位置に、空間１９が形成される。
【０１３０】
解放された状態において、ラッチ部材６は、カメラプレート１００のラッチ面１０５とラッチしなくなる。これにより、クイックリリース式カメラマウントからカメラプレート１００を取り外すことができる。
【０１３１】
代替的に、図１６に示すクイックリリース式カメラマウント１は、溝５内のラッチ部材６と係合するリリース部材１４を備える。リリース部材１４は、（図１６ｂに示すように）厚い端部と薄い端部とを有する。好ましくは、リリース部材１４の厚い端部は、ラッチ部材６と係合するように付勢され、これにより、ラッチ６は、溝５の外側に少なくとも部分的に延在する。このラッチ位置において、溝５は、上述したようにラッチ部材６の動きを単一の並進方向に沿って制限する。
【０１３２】
リリース部材１４が溝５に沿って押されたときに、リリース部材１４の薄い端部は、ラッチ部材６に隣接して配置される。その結果、ラッチ部材６は、追加の並進自由度に沿って、マウントプレート１００から離れる方向に後退することができる。
【０１３３】
代替的に、図１７には、回転カム７０を備えたクイックリリース式カメラマウント１が示されている。解放されていない状態において、回転カム７０は、ラッチ部材６の動きを直線状の経路１０内に制限する。回転カム７０がラッチ部材６から離れるように溝５内で逆回転すると、ラッチ部材の動きは、直線状の経路１０内のみに制限されなくなる。解放されていない状態での回転カム２０の位置に空間１９が形成されるため、ラッチ部材６は、空間１９内へ外方向に（すなわち追加の並進自由度で）並進することができる。解放された状態において、ラッチ部材６は、カメラプレート１００のラッチ面１０５とラッチしなくなる。これにより、クイックリリース式カメラマウントからカメラプレート１００を取り外すことができる。
【０１３４】
また代替的に、模式的な図１８には、ラッチ部材６に取り付けられたリリースタブ３０を備えたクイックリリース式カメラマウント１が示されている。このリリース機構は、溝５内の付勢手段１５に対抗して、制限された直線状の経路１０に沿ってラッチ部材６をクイックリリース式カメラマウント１の溝５内に後退させる。リリースタブ３０が付勢方向と反対の方向に引っ張られることで、付勢手段１５に対抗することができる。リリースタブ３０およびラッチ部材６は、外方向および下方向に後退位置まで引っ張られる。後退位置において、クイックリリース式カメラマウント１からカメラプレート１００を取り外すことができる。
【０１３５】
任意選択で、図１９には、ラッチ部材（複数を含む）６を後退させるために採用され得る角度が付けられた溝を有するリリースタブ３０が示されている。角度が付けられた溝は、部材１７が矢印の方向に移動したときにラッチ部材６が溝５内に後退するように、摺動部材１７のピンと相互作用する。
【０１３６】
代替的に、図２０には、ラッチ部材６と係合する溝５内のカムボタン３３を備えた別のクイックリリース式カメラマウント１が示されている。カムボタン３３は、その端部においてラッチ部材６と係合する傾斜面を有する。ラッチ解除位置（図示せず）において、カムボタン３３はラッチ部材６と相互作用せず、ラッチ部材６はラッチ位置をとることができる。ラッチ解除位置（図２０に示す）において、カムボタン３３はラッチ部材６と係合して、ラッチ部材６を溝５内の凹部位置に押し込む。これにより、カメラプレート１００を解放することができる。
【０１３７】
ラッチ機構には、以下に例示する他の多くの設計バリエーションが可能である。
【０１３８】
任意選択で、クイックリリース式カメラマウント１は、マウントプレート１００の長さに沿って係合するように構成された複数のラッチ部材６のための、複数の溝５を有してもよい。特に、このような実施形態において、ラッチ部材６は、円筒形のラッチ部材ではなく、ボールベアリングであってよい。
【０１３９】
例えば、カメラマウント１の各側面は、２つ〜８つまたはそれ以上のボールベアリングを備えていてもよい。
【０１４０】
任意選択で、ラッチ部材６は、例えば円筒形、直角プリズムまたは正三角形プリズムの形状を有する。
【０１４１】
＜代替のリフトロック機構＞
【０１４２】
図１３ａおよび図１３ｂに模式的に示すように、リフトロック機構のための追加のオプションが提供される。例えば、ロック制御部４は、クイックリリース式カメラマウント１の本体２に対して移動するくさび状プレート５０を介してロックプレート２０を持ち上げるおよび／または下げるように構成されてもよい。
【０１４３】
ロック解除状態において、くさび状プレート５０は、部分的にロックプレート２０とクイックリリース式カメラマウント１の基部３との間に配置される。ロック解除状態からロック状態に移動するために、くさび状プレート５０は、ロックプレート２０とクイックリリース式カメラマウント１の基部３との間にさらに挿入される。これにより、ロックプレート２０が上方向に持ち上げられて、くさび状プレート５０がロック解除状態からロック状態に移行する。
【０１４４】
上述したように、ロックプレート２０が上方向に持ち上げられると、カメラプレート１００も上方向に持ち上げられて締め付けられる。
【０１４５】
くさび状プレート５０は、ロックプレート２０の下方の（一体成形されたまたは個別の部材として設けられた）対応する傾斜面と協働する傾斜面２８を有する。
【０１４６】
くさび状プレート５０の第１の側面５１は、くさび状プレートの第２の側面５２よりも厚い。また、ロックプレート２０は、第１の（より薄い）側面２６および第２の（より厚い）側面２７を有する補完的なくさび状部材２５を備える。本実施形態において、くさび状プレート５０の第２の側面５２がロックプレート２０の第２の側面２７に向けて移動してロックプレートが上方向に移動すると、くさび状プレート５０はロック位置に移動する。
【０１４７】
（図１３ｂに示す）一構成において、ロック制御部４は、レバーである。レバー４が旋回すると、くさび状プレート５０がクイックリリース式カメラマウント１内に押し込まれる。
【０１４８】
（図１３ａに示す）別の構成において、ロック制御部４は、カメラマウントの本体２と相互作用するように構成されたねじ付き部を備えたノブである。この構成において、ノブが第１の方向にねじられてくさびが移動するとロックプレートが持ち上げられ、ノブが逆の第２の方向にねじられるとロックプレートが下がる。
【０１４９】
図１４を参照すると、別の構成におけるロック制御部は、クイックリリース式カメラマウント１の基部３の下方でねじ付きシャフトを備える。ねじ付きシャフトは、一方の端部がロックプレート２０に取り付けられ、補完的なねじ部を介してカメラマウントの本体２と係合する。ねじ付きシャフトが（任意の適切な手段によって）回転されると、ねじ付きシャフトの端部がクイックリリース式カメラマウントの基部に対して縦方向に移動する。これにより、ロックプレート２０が持ち上げられる。
【０１５０】
＜横方向ロック＞
【０１５１】
図２１に模式的に示すように、別の構成におけるカメラプレート１００は、横方向ロック機構によってクイックリリース式カメラマウント１に固定される。
【０１５２】
例えば、一構成における横方向ロック機構は、２つの本体構成要素１１，１２を含むクイックリリース式カメラマウント１を実質的に備える。構成要素１１，１２は、上述したようにラッチ部材６がそれに沿って単一の方向に並進することができる制限溝５を画定する。ただし、本実施形態における第１の構成要素１１は、第２の構成要素１２に対して移動可能である。特に、第１の構成要素１１は、第２の構成要素１２に関して横方向に移動することができる。カメラプレート１００をロックするために、第１の構成要素１１は、（図２１ｂに示すように）カメラプレート１００に向けて横方向に移動して、ラッチ部材６がカメラプレート１００のラッチ面５に対して締め付けられる。これにより、カメラプレート１００が基部３に対して締め付けられて、基本的に強固な結合が確立される。
【０１５３】
図２１ｃに示すように、第１の構成要素１１を（ラッチ部材６から離れる方向に）戻すように移動することで、クイックリリース式マウント１のロックを解除することができる。このロック解除位置において、ラッチ部材６は、溝５内で上下方向に自由に移動することができ、上述したように、好ましくはラッチ位置まで付勢される。
【０１５４】
以下、図２２ａ〜図２２ｄを参照ながら、横方向ロック機構の代替の変形例を詳細に記載する。
【０１５５】
図２２ａには、可動構成要素１１に溝５が設けられた変形例が模式的に示されている。また、この変形例は、カメラマウント１の一方の側にラッチ部材６を１つだけ含む。本明細書に記載する多くの実施形態において、一方の側のみにラッチ部材が設けられてもよく、他方の側が固定ジョー３５を介してカメラプレート１００と係合してもよい。
【０１５６】
図２２ｂに示すように、ロック制御部４は、本体２の一方の構成要素１１に取り付けられる。クイックリリース式カメラマウント１をロックするために、ロック制御部４は、本体２の他方の構成要素１２に近づくように構成要素１１を移動する。レバー型のロック制御部４によって、カム面３６を介して締め付け力が加えられる。
【０１５７】
本体２の第１の構成要素１１と第２の構成要素１２とが互いに近づくと、カメラプレート１００がロック位置においてラッチ部材６と係合する。
【０１５８】
図２２ｃには、代替のねじ付きロック制御部４が模式的に示されている。このロック制御部４は、基本的に図２２ｂに示すレバー設計と同様に動作する。
【０１５９】
図２２ｄに示す別の構成において、クイックリリース式カメラマウント１の本体２は、ラッチ状態ではラッチ部材６と実質的に同じ平面にある側方開口部１３を有する。横方向ロック機構は、側方開口部１３内に配置された側方ロック部６０に取り付けられたロック制御部４を備える。ロック制御部４の動作が側方ロック部６０を並進させ、これにより、ラッチ部材６と係合する。
【０１６０】
ロック解除状態において、側方ロック部６０は、ラッチ部材６と係合しない。これにより、ラッチ部材は、溝５に沿って移動することができる。
【０１６１】
ロック状態において、側方ロック部６０がラッチ部材６と係合して、ラッチ部材６がカメラプレート１００のラッチ面１０５に対して締め付けられる。これにより、カメラプレート１００が適所にしっかりと固定される。
【０１６２】
＜円形プレート型クイックリリース機構＞
【０１６３】
図２３に示すように、さらなる実施形態における本発明は、概ね平面状の基部２０７を有し且つ円形の受容室２０３を画定する本体２０２を備えたクイックリリース式カメラマウント２０１である。受容室２０３は、実質的に円形のカメラプレート３００を受容するように構成される。クイックリリース式カメラマウント２０１は、信頼性を有し、操作が容易であり、人間工学に基づいて直感的に使用することができる。
【０１６４】
カメラマウント２０１は、カメラと三脚との間で使用されてもよく、代替的に、例えば三脚と三脚ヘッドとの間で使用されるクイックリリース式マウントとして構成されてもよい。また、マウント２０１は、カメラ機器と関係しない用途において使用されてもよい。
【０１６５】
クイックリリース式カメラマウント２０１は、ラッチモード、ロックモードおよびラッチ解除モードにおいて動作することができる。例えば、ラッチモードにおいて、クイックリリース式カメラマウント２０１は、円形のカメラプレート３００が挿入されたときにプレートを取り込む。ラッチモードにおいて、クイックリリース式カメラマウント１は、ラッチ解除機構を個別に作動させず、カメラプレート１００が解放されることを防止する。ラッチリング２３０が回転すると、ラッチ部材２０６は、ラッチ状態とラッチ解除状態との間で移動する。
【０１６６】
ロックモードにおいて、ロック機構は、クイックリリース式カメラマウント２０１内で円形のカメラプレート３００を締め付けて、カメラプレートの移動を防止する。ロックモードにおいて、カメラプレート１００は、他の取り付けられた機器を固定して安定させる。クイックリリース式カメラマウント２０１をロックするために、ロックリング２４０を回転させてロックプレート２２０を持ち上げる。これにより、カメラプレート３００がラッチ部材２０６に対して締め付けられる。
【０１６７】
円形のカメラプレート３００を解放するには、リリース機構が必要である。これは、ラッチリング２３０をラッチ解除状態になるように回転することで達成することができる。
【０１６８】
図２３に示すように、円形のカメラプレート３００は、上部３０１と、基部３０２と、開口部３０３と、周縁部３０４と、ラッチ面３０５とを備える。ラッチ面３０５は、カメラプレート３００の端部を中心に概ね半径方向に延在するリップ部３０７を備える。好ましくは、プレートの開口部３０３は、ボルトなどの固定手段が開口部を通過してカメラなどの機器を固定できるように構成される。
【０１６９】
図２３に示すように、クイックリリース式カメラマウント２０１は、複数のラッチ部材２０６を含む複数の溝２０５を有する。
【０１７０】
付勢リング２１１は、ラッチ状態になるようにラッチ部材２０６を付勢して、ここでラッチ部材２０６が円形のカメラプレート３００のラッチ面３０５と係合する。ラッチ部材２０６は、角度が付けられた溝２０５の外側に少なくとも部分的に延在し且つ受容室２０３内に延在するように付勢されて、ラッチ状態となる。これに関して、溝２０５は、上述した実施形態と同様に機能する。同様に、溝は、好ましくは水平面から３０度〜６０度の範囲の角度が付けられる。最も好ましくは、溝は、図２５に最もよく示すように水平面から４５度の角度が付けられる。
【０１７１】
ラッチ部材２０６は、制限面２１８によって、溝２０５から飛び出すのを防止される。制限面２１８は、ラッチ部材２０６の直径よりも小さい通路を形成して、ラッチ部材２０６が溝２０５から飛び出すことを防止する。
【０１７２】
好ましくは、ラッチ部材２０６は、ラッチ部材２０６と係合する付勢リング２１１によって、ラッチ位置まで上方向に付勢される。例えば、１つまたは複数のばね２１５が付勢リング２１１の下方に配置されてもよい。これにより、ラッチリングがラッチ位置（ラッチされる位置）あるいはリリース位置（把持されない位置）にあるときに、カメラプレート３００を受容室２０３内に挿入することができる。
【０１７３】
付勢手段２１５は、ラッチ部材２０６が溝２０５の外側に少なくとも部分的に延在するようにラッチ部材２０６を付勢できるほど十分に強いが、カメラプレート３００を取り外すことが困難になるほど強くない。この状態を、ソフトラッチと呼ぶ場合がある。
【０１７４】
カメラマウント２０１からプレート３００を取り外すために、ラッチリング２３０をラッチ状態からラッチ解除状態に回転するためのラッチ制御部２３１を配置する必要がある。好ましくは、ラッチリング２３０は、ばねなどの追加の付勢手段（図示せず）によって、ラッチ状態になるまで付勢される。これにより、プレートを適所に押し込んで自動的にラッチさせる「自動的な」ラッチ機能をカメラマウントに設けることができる。
【０１７５】
ラッチ解除状態において、ラッチリング２３０が回転すると、リリースキャビティ２３３が（図２３に示すように）ラッチ部材２０６と整列する。これにより、ラッチリング２３０は、ラッチ部材２０６との係合位置から外れて配置される。この位置において、ラッチ部材２０６は、円形のカメラプレート３００のラッチ面３０５に対して拘束されなくなり、カメラプレート３００をクイックリリース式カメラマウントから取り外すことができる。カメラプレート３００が取り外されると、プレートの下端部２０７は、ラッチ部材２０６をカメラマウントの溝２０５内に後退させる。
【０１７６】
カメラプレート３００を安全にラッチさせてその取り外しを防止しながら回転を可能にするために、ラッチリング２３０は、ラッチ制御部２３１を介してラッチ位置まで回転される。
【０１７７】
ラッチ状態において、ラッチリング２３０は、リリースキャビティ２３３がラッチ部材２０６と整列しないように回転される。これにより、ラッチリング２３０のラッチ面２３２がラッチ部材２０６と係合して、ラッチ部材２０６が溝２０５内に後退するのを防止する。この位置において、ラッチ部材２０６は、円形のカメラプレート３００のラッチ面３０５と係合する。リップ部３０７が延びているため、クイックリリース式カメラマウントからカメラプレート３００を取り外すことはできない。
【０１７８】
ただし、ラッチ部材は、付勢リング２１１によってカメラプレート３００に押し付けられているだけである。そのため、カメラプレート３００は、受容室２０３内で依然として回転することができる。この特徴は、カメラ（またはその他の取り付けられた機器）を所望の位置まで回転する際に役立つ場合がある。
【０１７９】
最も好ましくは、ラッチ部材２０６は、図２３および図２４に示すような複数のボールベアリングである。ボール状のラッチ部材２０６は、溝２０５内で滑らかに回転できるように構成される。これにより、ラッチ部材２０６とカメラプレート３００との間が円滑に相互作用することができる。
【０１８０】
代替的に、ラッチ部材２０６は、図２６および図２７に示すような円筒形のベアリングであってもよい。この代替の実施形態は、上記と同様に動作する。また、同様の要素には、同じ参照符号を適宜付している。
【０１８１】
＜ロック＞
【０１８２】
クイックリリース式カメラマウント２０１内で円形のカメラプレート３００をロックするために、上述したリフトロック機構を実質的に使用することができる。リフトロック機構は、図２３に最もよく示されている。好ましくは、カメラマウント２０１は、リフトロック機構を作動させるロック制御部２０４を備える。
【０１８３】
図８〜図１２に示す上記実施形態に関連して実質的に説明したように、ロック制御部２０４は、ボールベアリング２４３を介してロックリング２４０を回転させる。これにより、ロックプレート２２０が持ち上げられる。ロックプレート２２０が持ち上げられると、カメラプレート３３０も持ち上げられて（上方向に移動されて）ラッチ部材２０６に対して締め付けられる。ロックプレート２２０は、円形のカメラプレート３００と係合する大きな表面積を有する。これにより、大型で重いカメラ（またはその他の取り付けられた物体）に適した、信頼できる安定した表面を提供することができる。
【０１８４】
ロック制御部２０４は、クイックリリース式カメラマウント２０１をロック状態とロック解除状態との間で移動させる。ロック制御部２０４は、複数の傾斜ボール経路２４１を有するロックリング２４０に取り付けられる。ボールベアリング２４３の動きは、ロックリング２４０の上方でロックプレート２２０が分離されるように、ロックリング２４０の（らせん状の経路から続く）傾斜ボール経路４１内に制限される。複数のボールベアリング４３によって多くの接触点が提供され、これにより、摩擦を低減して負荷に耐えることができる。
【０１８５】
好ましくは、ロックプレート２２０は、ロックプレートの基部において、ロックリング２４０の傾斜ボール経路２４１を補完する複数の傾斜ボール経路２２３を有する。
【０１８６】
ロックリング２４０が第１の方向に回転すると、ロックプレート２２０がより低い開始位置からより高い終了位置まで持ち上げられる。ロックリング２４０が回転すると、ボールベアリング２４３は、らせん状の動きで上方向に移動する。ボールベアリング２４３が上方向に移動すると、ロックプレート２２０は、上方向に持ち上げられる。また、ロックプレート２２０が上方向に移動すると、カメラプレート３００は、ロック位置に押し込まれる。ここでロックプレート２２０は、クイックリリース式カメラマウント２０１のラッチ部材２０６に対してカメラプレート３００のラッチ面２０５を締め付ける。
【０１８７】
次に、クイックリリース式カメラマウント２０１のロックを解除するために、ロック制御部２０４を第２の方向に回転させる。これにより、ロックプレート２２０が下方向に下がり、カメラプレート３００は、ラッチ部材２０６から係合解除される。
【０１８８】
本発明が関係する当業者には、添付の特許請求の範囲で定義される本発明の範囲から逸脱することなく、本発明の構成への変更ならびに様々な異なる実施形態および用途が可能であることが明らかであろう。
【手続補正２】
【補正対象書類名】特許請求の範囲
【補正対象項目名】全文
【補正方法】変更
【補正の内容】
【特許請求の範囲】
【請求項１】
クイックリリース式マウントシステムであって、
ラッチ面をそれぞれ含む両側の側面を有するマウントプレートと、
前記マウントプレートを受容する差し込み部、および前記マウントプレートのラッチ面と係合して前記差し込み部から前記マウントプレートが分離することを防止する少なくとも１つの可動ラッチ部材を有する基部と、
を備え、
前記マウントシステムは、前記基部に垂直な方向および前記基部から離れる方向に、前記少なくとも１つのラッチ部材に対して前記マウントプレートを押し付けるように動作するロック機構をさらに備え、これにより、前記差し込み部内で前記マウントプレートが強固に締め付けられる、
クイックリリース式マウントシステム。
【請求項２】
前記マウントプレートを受容する前記差し込み部を有する前記基部は、前記マウントプレートの両側の側面の各ラッチ面と係合する少なくとも１つの可動ラッチ部材を含む、
請求項１に記載のクイックリリース式マウントシステム。
【請求項３】
前記ラッチ面と係合する複数の可動ラッチ部材が設けられる、
請求項１または２に記載のクイックリリース式マウントシステム。
【請求項４】
前記可動ラッチ部材は、前記基部の側壁の溝内にそれぞれ配置され、前記可動ラッチ部材の動きは、単一の並進自由度における経路に沿った移動のみに制限される、
請求項１〜３のいずれか１項に記載のクイックリリース式マウントシステム。
【請求項５】
前記経路は、前記差し込み部の底面に対して斜めに配向される、
請求項４に記載のクイックリリース式マウントシステム。
【請求項６】
前記経路は、
（ａ）約３０度〜約６０度の範囲、または
（ｂ）約４５度
の角度で、前記底面に対して斜めに配向される、
請求項５に記載のクイックリリース式マウントシステム。
【請求項７】
前記ラッチ部材は、
（ａ）ボールベアリング、または
（ｂ）実質的に円筒形のローラ、または
（ｃ）ボールベアリングと円筒形のローラとの組み合わせ
である、
請求項１〜６のいずれか１項に記載のクイックリリース式マウントシステム。
【請求項８】
前記ラッチ部材は、自由に回転することができる、
請求項７に記載のクイックリリース式マウントシステム。
【請求項９】
前記ラッチ部材は、前記ラッチ部材が少なくとも部分的に前記差し込み部内に突出するように、ラッチ位置まで付勢される、
請求項１〜８のいずれか１項に記載のクイックリリース式マウントシステム。
【請求項１０】
前記マウントプレートの両側の側面は、前記マウントプレートの基部が前記マウントプレートの上部よりも広くなるように、斜めのラッチ面を含む、
請求項１〜９のいずれか１項に記載のクイックリリース式マウントシステム。
【請求項１１】
前記マウントプレートのラッチ面から、前記差し込み部の一方の側に沿う少なくともすべての前記ラッチ部材を係合解除するために、リリース機構が設けられる、
請求項１〜１０のいずれか１項に記載のクイックリリース式マウントシステム。
【請求項１２】
前記リリース機構は、前記ラッチ部材を直線状の経路で並進させる、
請求項１１に記載のクイックリリース式マウントシステム。
【請求項１３】
前記ロック機構は、
・  前記差し込み部の底面に配置されたロックプレートであって、その下側にらせん状の経路を画定する複数のロックプレートボール経路を有するロックプレートと、
・  前記ロックプレートの下方に配置されたロックリングであって、その上側にらせん状の経路を画定して前記ロックプレートボール経路を補完する複数のロックリングボール経路を有するロックリングと、
・  対応する前記ロックプレートおよび前記ロックリングボール経路内にそれぞれ配置された複数のボールベアリングと、
を備え、
前記ロックプレートに対する前記ロックリングの回転によって、前記ボールベアリングが前記ロックリングと前記ロックプレートとを分離させ、これにより、前記マウントプレートが前記ロックプレートと前記ラッチ部材との間で締め付けられる、
請求項１〜１２のいずれか１項に記載のクイックリリース式マウントシステム。
【請求項１４】
互いに対応する前記ボールベアリングと前記ボール経路とのセットが３つ〜６つある、
請求項１３に記載のクイックリリース式マウントシステム。
【請求項１５】
前記ロック機構は、互いに対して並進するように構成された補完的なくさび状部材を備え、これにより、前記マウントプレートが前記ラッチ部材に対して締め付けられる、
請求項１〜１２のいずれか１項に記載のクイックリリース式マウントシステム。
【請求項１６】
前記ロック機構は、少なくとも１つのねじ付き部材を備え、その回転によって、前記マウントプレートが前記ラッチ部材に対して締め付けられる、
請求項１〜１２のいずれか１項に記載のクイックリリース式マウントシステム。
【請求項１７】
基部上に支持されたマウントプレートを受容し且つ前記マウントプレートのラッチ面と係合する少なくとも１つの可動ラッチ部材によって解放されることが防止されるクイックリリース式マウントシステムであって、
前記マウントは、前記マウントプレートが前記基部に垂直な方向および前記基部から離れる方向に付勢されて前記マウントプレートが前記少なくとも１つのラッチ部材に押し付けられるロックモードでさらに動作し、これにより、前記マウントプレートが強固に締め付けられる、
クイックリリース式マウントシステム。
【請求項１８】
差し込み部を画定する基部上に支持されたマウントプレートを受容するクイックリリース式マウントシステムであって、
前記クイックリリース式マウントシステムは、前記基部の側壁の溝内に配置された少なくとも１つのラッチ部材を含み、ラッチ状態にあるときに、
（ａ）前記少なくとも１つのラッチ部材は、前記マウントプレートのラッチ面と係合し、
（ｂ）前記少なくとも１つのラッチ部材の動きは、前記溝内において、単一の第１の方向における経路に沿った並進のみに制限され、前記経路は、前記マウントプレートの平面に対して斜めに配向され、
ラッチ解除状態にあるときに、前記少なくとも１つのラッチ部材の動きは、前記第１の方向に沿った並進のみに制限されない、
クイックリリース式マウントシステム。
【請求項１９】
前記ラッチ面と係合する複数の可動ラッチ部材を有する、
請求項１８に記載のクイックリリース式マウントシステム。
【請求項２０】
前記ラッチ部材は、前記ラッチ解除状態にあるときに、少なくとも１つの構成要素が前記第１の方向に直交する状態で少なくとも１つの追加の方向に沿っておよび／または前記マウントプレートのラッチ面から離れるように、並進することができる、
請求項１８または１９に記載のクイックリリース式マウントシステム。
【請求項２１】
前記ラッチ部材は、前記ラッチ状態にあるときに、前記基部から前記マウントプレートが取り外されることを防止し、前記ラッチ解除状態にあるときに、前記基部から前記マウントプレートが取り外されることを許可する、
請求項１８〜２０のいずれか１項に記載のクイックリリース式マウントシステム。
【請求項２２】
前記ラッチ部材は、前記ラッチ状態になるように付勢される、
請求項１８〜２１のいずれか１項に記載のクイックリリース式マウントシステム。
【請求項２３】
前記少なくとも１つのラッチ部材は、前記溝から飛び出すことが制限される、
請求項２２に記載のクイックリリース式マウントシステム。
【請求項２４】
前記経路は、
（ａ）約３０度〜約６０度の範囲、または
（ｂ）約４５度
の角度で、前記平面に対して斜めに配向される、
請求項１８に記載のクイックリリース式マウントシステム。
【請求項２５】
前記ラッチ部材は、
（ａ）ボールベアリング、または
（ｂ）実質的に円筒形のローラ、または
（ｃ）ボールベアリングと円筒形のローラとの組み合わせ
である、
請求項１８〜２４のいずれか１項に記載のクイックリリース式マウントシステム。
【請求項２６】
前記ラッチ部材は、自由に回転することができる、
請求項２５に記載のクイックリリース式マウントシステム。
【請求項２７】
前記ラッチ部材は、前記ラッチ部材が少なくとも部分的に前記差し込み部内に突出するように、ラッチ位置まで付勢される、
請求項１８〜２６のいずれか１項に記載のクイックリリース式マウントシステム。
【請求項２８】
前記マウントプレートの両側の側面は、前記マウントプレートの基部がより高い部分よりも広くなるように、斜めのラッチ面を含む、
請求項１８〜２７のいずれか１項に記載のクイックリリース式マウントシステム。
【請求項２９】
前記ラッチ部材の動きは、可動ラッチアクチュエータがラッチ位置にあるときに、前記可動ラッチアクチュエータによって、前記単一の第１の方向に沿った並進のみに制限される、
請求項１８〜２８のいずれか１項に記載のクイックリリース式マウントシステム。
【請求項３０】
前記ラッチ部材の動きは、前記ラッチアクチュエータがラッチ解除位置にあるときに、前記単一の第１の方向に沿った並進のみに制限されなくなる、
請求項２９に記載のクイックリリース式マウントシステム。
【請求項３１】
前記ラッチアクチュエータは、前記ラッチ位置まで付勢される、
請求項３０に記載のクイックリリース式マウントシステム。
【請求項３２】
前記マウントプレートは、概ね円形であり、前記マウントプレートの周囲の少なくとも一部の周りで突出するリップ部を画定し、前記リップ部は、前記ラッチ面を画定する、
請求項２９〜３１のいずれか１項に記載のクイックリリース式マウントシステム。
【請求項３３】
前記マウントプレートは、前記ラッチ状態にあるときに、前記基部に対して自由に回転することができる、
請求項３２に記載のクイックリリース式マウントシステム。
【請求項３４】
前記ラッチアクチュエータは、前記ラッチ部材を取り囲む回転可能なリングであり、
前記ラッチアクチュエータは、内縁の周りに間隔をあけて配置された一連のラッチカム面およびラッチ解除キャビティを画定し、
（ａ）前記ラッチカム面は、前記ラッチアクチュエータがラッチ位置にあるときに、それぞれの前記ラッチ部材と係合して、前記ラッチ部材の動きを前記単一の第１の方向に沿った並進のみに制限し、
（ｂ）前記ラッチ解除キャビティは、前記ラッチアクチュエータがラッチ解除位置にあるときに、それぞれの前記ラッチ部材と隣接するように配置され、これにより、前記ラッチ部材の動きは、前記単一の第１の方向に沿った並進のみに制限されなくなる、
請求項３１〜３３のいずれか１項に記載のクイックリリース式マウントシステム。
【請求項３５】
前記ラッチ部材は、前記ラッチアクチュエータがラッチ解除位置にあるときに、半径方向外側に移動して、前記マウントプレートのラッチ面から係合解除される、
請求項３４に記載のクイックリリース式マウントシステム。
【請求項３６】
前記ラッチアクチュエータは、それぞれの前記ラッチ部材の後方に配置された並進部材であり、
前記ラッチアクチュエータは、ラッチカム面およびラッチ解除キャビティを画定し、
（ａ）前記ラッチカム面は、前記ラッチアクチュエータがラッチ位置にあるときに、それぞれの前記ラッチ部材と係合して、前記ラッチ部材の動きを前記単一の第１の方向に沿った並進のみに制限し、
（ｂ）前記ラッチ解除キャビティは、前記ラッチアクチュエータがラッチ解除位置にあるときに、それぞれの前記ラッチ部材と隣接するように配置され、これにより、前記ラッチ部材の動きは、前記単一の第１の方向に沿った並進のみに制限されなくなる、
請求項２９〜３１のいずれか１項に記載のクイックリリース式マウントシステム。
【請求項３７】
前記マウントは、前記基部から離れるように前記マウントプレートを付勢して、前記マウントプレートが前記少なくとも１つのラッチ部材に対して締め付けられるように、ロックモードでさらに動作する、
請求項１８〜３６のいずれか１項に記載のクイックリリース式マウントシステム。
【請求項３８】
前記ロックモードは、
・  前記差し込み部の底面に配置されたロックプレートであって、その下側にらせん状の経路を画定する複数のロックプレートボール経路を有するロックプレートと、
・  前記ロックプレートの下方に配置されたロックリングであって、その上側にらせん状の経路を画定して前記ロックプレートボール経路を補完する複数のロックリングボール経路を有するロックリングと、
・  対応する前記ロックプレートおよび前記ロックリングボール経路内にそれぞれ配置された複数のボールベアリングと、
を備えたロックシステムによって作動され、
前記ロックプレートに対する前記ロックリングの回転によって、前記ボールベアリングが前記ロックリングと前記ロックプレートとを分離させ、これにより、前記マウントプレートが前記ロックプレートと前記ラッチ部材との間で締め付けられる、
請求項３７に記載のクイックリリース式マウントシステム。
【請求項３９】
互いに対応する前記ボールベアリングと前記ボール経路とのセットが３つ〜６つある、
請求項３８に記載のクイックリリース式マウントシステム。
【請求項４０】
クイックリリース式マウントシステムであって、
少なくとも１つのラッチ面を含むマウントプレートと、
前記マウントプレートを受容する差し込み部、および前記マウントプレートのラッチ面と係合して前記差し込み部から前記マウントプレートが分離することを防止する少なくとも１つの可動ラッチ部材を有する基部と、
を備え、
前記マウントシステムは、前記基部に垂直な方向および前記基部から離れる方向に、前記少なくとも１つのラッチ部材に対して前記マウントプレートを押し付けるように動作するロック機構をさらに備え、これにより、前記差し込み部内で前記マウントプレートが強固に締め付けられる、
クイックリリース式マウントシステム。
【国際調査報告】
2020517879.tif 000042
2020517879.tif 000043
2020517879.tif 000044
2020517879.tif 000045
2020517879.tif 000046